(57)【要約】本開示は、ネットワーク制御端末に用いられる電子装置及び当該電子装置に用いられる方法、並びにネットワークノードに用いられる電子装置及び当該電子装置に用いられる方法を提供している。ネットワーク制御端末に用いられる電子装置は、当該ネットワークノードと１つ又は複数の他のネットワークノードとの間の中継リンクに対して、ネットワークノード及び／又は１つ又は複数の他のネットワークノードのための間欠受信ＳＬ−ＤＲＸを配置し、ＳＬ−ＤＲＸの配置に基づいて、ネットワークノードと１つ又は複数の他のネットワークノードとの間の中継伝送を行うように配置される処理回路を含む。【選択図】図３
2019525607.tif 000002
【特許請求の範囲】
【請求項１】
ネットワーク制御端末に用いられる電子装置であって、
中継ネットワークノードとリモートネットワークノードとの間の中継リンクに対して、前記中継ネットワークノード及び／又は前記リモートネットワークノードのための間欠受信ＳＬ−ＤＲＸを配置し、
前記中継ネットワークノード及び／又は前記リモートネットワークノードに指示するために、前記ＳＬ−ＤＲＸの配置が含まれた制御シグナリングを生成するように配置される処理回路を含む電子装置。
【請求項２】
前記処理回路は、前記中継ネットワークノード及び／又は前記リモートネットワークノードがＰＳＣＣＨを検出するアクティブ時間及びＰＳＣＣＨを検出しないスリープ時間を確定することによって、前記間欠受信ＳＬ−ＤＲＸを配置するように配置される請求項１に記載の電子装置。
【請求項３】
前記制御シグナリングを前記中継ネットワークノード及び／又は前記リモートネットワークノードに送信するように配置される送受信ユニットをさらに含む請求項１に記載の電子装置。
【請求項４】
前記送受信ユニットは、無線リソース制御ＲＲＣシグナリングによって前記送信を行うように配置される請求項３に記載の電子装置。
【請求項５】
前記送受信ユニットは、前記中継ネットワークノード及び前記リモートネットワークノードのＳＬ−ＤＲＸ配置が含まれた前記制御シグナリングを前記中継ネットワークノードに送信するように配置され、その中、前記リモートネットワークノードのＳＬ−ＤＲＸ配置は、前記中継ネットワークノードによって転送される請求項３に記載の電子装置。
【請求項６】
前記処理回路はさらに、前記ネットワーク制御端末から前記中継ネットワークノードへのユニバーサルリンクダウンリンク伝送と、前記リモートネットワークノードから前記中継ネットワークノードへの中継リンク伝送に、互いに直交するリソースを割り当てるか、又は、前記ネットワーク制御端末から前記リモートネットワークノードへのユニバーサルリンクダウンリンク伝送と、前記中継ネットワークノードから前記リモートネットワークノードへの中継リンク伝送に、互いに直交するリソースを割り当てるように配置される請求項１に記載の電子装置。
【請求項７】
前記処理回路はさらに、ユニバーサルリンクと中継リンクの優先度に従ってそれらの伝送順序を設定し、当該伝送順序に従って前記中継ネットワークノード又は前記リモートネットワークノードのＳＬ−ＤＲＸ配置を更新するように配置される請求項６に記載の電子装置。
【請求項８】
前記処理回路は、前記中継ネットワークノードからのＳＬ−ＤＲＸスリープインジケータに従って、前記ネットワーク制御端末から前記中継ネットワークノードへのユニバーサルリンクダウンリンク伝送をスケジューリングするように配置され、その中、前記ＳＬ−ＤＲＸスリープインジケータは、前記中継ネットワークノードの中継リンクがスリープ状態に入ることを表す請求項１に記載の電子装置。
【請求項９】
前記処理回路は、前記中継ネットワークノードからのＳＬ−ＤＲＸリモートスリープインジケータに従って、前記ネットワーク制御端末から前記リモートネットワークノードへのユニバーサルリンクダウンリンク伝送をスケジューリングするように配置され、その中、前記ＳＬ−ＤＲＸリモートスリープインジケータは、前記リモートネットワークノードの中継リンクがスリープ状態に入ることを表す請求項１に記載の電子装置。
【請求項１０】
前記ネットワーク制御端末とネットワークノードとの間に間欠受信ＤＲＸを使用する場合に、前記処理回路は、互いに直交する受信リソースを前記ＤＲＸ及び前記ＳＬ−ＤＲＸに割り当てるように配置される請求項１に記載の電子装置。
【請求項１１】
前記処理回路は、時間領域で互いに独立した受信時間窓を前記ＤＲＸ及び前記ＳＬ−ＤＲＸに割り当てるように配置される請求項１０に記載の電子装置。
【請求項１２】
前記ネットワーク制御端末とネットワークノードとの間に間欠受信ＤＲＸを使用する場合に、前記処理回路はさらに、前記ネットワークノードからの調整指示に従って、前記ネットワークノードのＤＲＸ又はＳＬ−ＤＲＸの配置を調整するように配置される請求項１に記載の電子装置。
【請求項１３】
前記ネットワーク制御端末と前記リモートネットワークノードとの間に間欠受信ＤＲＸを使用する場合に、前記処理回路はさらに、前記ネットワーク制御端末が前記リモートネットワークノードへのデータ伝送を完了した後、前記リモートネットワークノードのＤＲＸがスリープ時間に入ることを前記中継ネットワークノードに指示するために、ＵｕＤＲＸリモートスリープインジケータを生成するように配置される請求項１に記載の電子装置。
【請求項１４】
前記処理回路はさらに、前記リモートネットワークノードのＳＬ−ＤＲＸの配置を更新するように配置される請求項１３に記載の電子装置。
【請求項１５】
前記ＳＬ−ＤＲＸの配置は、ネットワークノードがスリープ状態からウェイクアップした後にＰＳＣＣＨを検出するための連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと、１つのＳＬ−ＤＲＸサイクルに含まれたサブフレームの数を指示するためのＳＬＤＲＸ−Ｃｙｃｌｅと、各ＳＬ−ＤＲＸサイクルの開始時のサブフレームの位置を指示するためのＳＬＤＲＸ−ＳｔａｒｔＯｆｆｓｅｔと、を含む請求項２に記載の電子装置。
【請求項１６】
ネットワークノードに用いられる電子装置であって、
当該ネットワークノードと１つ又は複数の他のネットワークノードとの間の中継リンクに対して、前記ネットワークノード及び／又は前記１つ又は複数の他のネットワークノードのための間欠受信ＳＬ−ＤＲＸを配置し、
前記ＳＬ−ＤＲＸの配置に基づいて、前記ネットワークノードと前記１つ又は複数の他のネットワークノードとの間の中継伝送を行う、
ように配置される処理回路を含む電子装置。
【請求項１７】
前記処理回路は、前記ネットワークノード及び／又は前記１つ又は複数の他のネットワークノードがＰＳＣＣＨを検出するアクティブ時間及びＰＳＣＣＨを検出しないスリープ時間を確定することによって、前記間欠受信ＳＬ−ＤＲＸを配置するように配置される請求項１６に記載の電子装置。
【請求項１８】
前記他のネットワークノードのＳＬ−ＤＲＸの配置が含まれた制御シグナリングを対応するネットワークノードに送信するように配置される送受信ユニットをさらに含む請求項１６に記載の電子装置。
【請求項１９】
前記送受信ユニットは、無線リソース制御ＲＲＣシグナリングやブロードキャストシグナリングによって前記送信を行うように配置される請求項１８に記載の電子装置。
【請求項２０】
前記送受信ユニットはさらに、前記他のネットワークノードがＳＬ−ＤＲＸスリープ状態に入ることを指示する制御情報を前記他のネットワークノードに送信するか、又は前記他のネットワークノードから当該制御情報を受信するように配置される請求項１８に記載の電子装置。
【請求項２１】
前記制御情報は、ＬＣＩＤを携帯するＭＡＣ  ＰＤＵサブヘッダによって表される請求項２０に記載の電子装置。
【請求項２２】
前記処理回路は、ネットワーク制御端末からの制御シグナリングに従って、前記ＳＬ−ＤＲＸの配置を確定するように配置される請求項１６に記載の電子装置。
【請求項２３】
前記処理回路は、前記ネットワークノードが送信するデータに従って、前記１つ又は複数の他のネットワークノードのＳＬ−ＤＲＸの配置を確定するように配置される請求項１６に記載の電子装置。
【請求項２４】
ネットワーク制御端末と前記ネットワークノードとの間に間欠受信ＤＲＸを使用する場合に、前記処理回路はさらに、ＤＲＸとＳＬ−ＤＲＸの受信時間窓が重なる場合に、ＤＲＸ又はＳＬ−ＤＲＸの配置を調整するための調整指示を生成して、前記ＤＲＸ又は前記ＳＬ−ＤＲＸの配置の調整を前記ネットワーク制御端末又は前記他のネットワークノードに指示するように配置される請求項１６に記載の電子装置。
【請求項２５】
前記処理回路はさらに、調整量を計算して、前記ネットワーク制御端末又は前記他のネットワークノードに、当該調整量に応じて前記ＤＲＸ又は前記ＳＬ−ＤＲＸの配置を調整するように指示するように配置される請求項２４に記載の電子装置。
【請求項２６】
前記ネットワークノードは、ネットワーク制御端末からのデータと他のネットワークノードからのデータとの一方を時間優先原則に従って受信し、前記処理回路は、受信の開始時にタイマーを起動し、当該タイマーの持続時間が所定の時間を超える時に受信を停止するように配置される請求項１６に記載の電子装置。
【請求項２７】
前記ネットワークノードは中継ネットワークノードであり、前記他のネットワークノードはリモートネットワークノードである請求項１６に記載の電子装置。
【請求項２８】
前記処理回路は、競合を避けるように、ネットワーク制御端末から前記中継ネットワークノードへのユニバーサルリンクダウンリンク伝送に使用されるリソースと直交するリソースを、前記リモートネットワークノードから前記中継ネットワークノードへの中継リンク伝送に割り当てるように配置される請求項２７に記載の電子装置。
【請求項２９】
ネットワーク制御端末と前記中継ネットワークノードとの間に間欠受信ＤＲＸを使用する場合に、前記処理回路は、前記ＤＲＸと互いに直交する受信リソースを前記ＳＬ−ＤＲＸに割り当てるように配置される請求項２７に記載の電子装置。
【請求項３０】
前記処理回路は、時間領域で前記ＤＲＸと互いに独立した受信時間窓を前記ＳＬ−ＤＲＸに割り当てるように配置される、請求項２９に記載の電子装置。
【請求項３１】
前記処理回路は、中継ネットワークノードの中継リンクがスリープ状態に入ることをネットワーク制御端末に指示するための指示を生成するように配置される請求項２７に記載の電子装置。
【請求項３２】
ネットワーク制御端末と前記リモートネットワークノードとの間に間欠受信ＤＲＸを使用する場合に、前記処理回路は、ネットワーク制御端末からのＵｕＤＲＸリモートスリープインジケータによって前記リモートネットワークノードのＳＬ−ＤＲＸ配置を更新するように配置され、その中、ＵｕＤＲＸリモートスリープインジケータは、前記リモートネットワークノードのＤＲＸがスリープ時間に入ることを指示する請求項２７に記載の電子装置。
【請求項３３】
前記処理回路は、前記中継ネットワークノードが前記リモートネットワークノードへのデータ伝送を完了した後、前記リモートネットワークノードの中継リンクがスリープ状態に入ることを前記ネットワーク制御端末に指示するための指示を生成するように配置される請求項２７に記載の電子装置。
【請求項３４】
前記処理回路は、受信順序を各リモートネットワークノードにそれぞれ割り当て、当該受信順序によって確定されたサブフレーム位置では、対応するリモートネットワークノードのＰＳＣＣＨを検出するように配置される請求項２７に記載の電子装置。
【請求項３５】
前記処理回路はさらに、各リモートネットワークノードに対して、連続受信用のＰＳＣＣＨサブフレームを確保するように配置される請求項３４に記載の電子装置。
【請求項３６】
前記処理回路はさらに、前のリモートネットワークノードの連続受信ＰＳＣＣＨサブフレームの数が動的に変化する場合に、次のリモートネットワークノードの受信サブフレームの開始位置に関する情報を生成して、前記次のリモートネットワークノードに指示するように配置される請求項３５に記載の電子装置。
【請求項３７】
前記処理回路はさらに、前記中継ネットワークノードのＳＬ−ＤＲＸの配置を周期的に更新するように配置される請求項３４に記載の電子装置。
【請求項３８】
前記処理回路は、中継ネットワークノードが複数のリモートネットワークノードからのＰＳＣＣＨを同時に検出した場合に、前記複数のリモートネットワークノードのうちの１つをランダムに選択するか、又は最も優先度の高い１つのリモートネットワークノードを選択して、そのデータを受信するように配置される、請求項２７に記載の電子装置。
【請求項３９】
前記ＳＬ−ＤＲＸの配置は、ネットワークノードがスリープ状態からウェイクアップした後にＰＳＣＣＨを検出するための連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと、１つのＳＬ−ＤＲＸサイクルに含まれたサブフレームの数を指示するためのＳＬＤＲＸ−Ｃｙｃｌｅと、各ＳＬ−ＤＲＸサイクルの開始時のサブフレームの位置を指示するためのＳＬＤＲＸ−ＳｔａｒｔＯｆｆｓｅｔと、を含む請求項１７に記載の電子装置。
【請求項４０】
ネットワーク制御端末に用いられる電子装置の方法であって、
中継ネットワークノードとリモートネットワークノードとの間の中継リンクに対して、前記中継ネットワークノード及び／又は前記リモートネットワークノードのための間欠受信ＳＬ−ＤＲＸを配置することと、
前記中継ネットワークノード及び／又は前記リモートネットワークノードに指示するために、前記ＳＬ−ＤＲＸの配置が含まれた制御シグナリングを生成することと、を含む方法。
【請求項４１】
ネットワークノードに用いられる電子装置の方法であって、
当該ネットワークノードと１つ又は複数の他のネットワークノードとの間の中継リンクに対して、前記ネットワークノード及び／又は前記１つ又は複数の他のネットワークノードのための間欠受信ＳＬ−ＤＲＸを配置することと、
前記ＳＬ−ＤＲＸの配置に基づいて、前記ネットワークノードと前記１つ又は複数の他のネットワークノードとの間の中継伝送を行うことと、を含む方法。
【発明の詳細な説明】
【技術分野】
【０００１】
本出願は、２０１６年８月１１日に中国特許庁に提出された、出願番号が２０１６１０６５７６２３．５であって、発明の名称が「ネットワーク制御端末及びネットワークノードに用いられる電子装置及び方法」である中国特許出願の優先権を主張するものであり、その全内容を本出願に参照により援用する。
【０００２】
本発明の実施例は、一般的に、無線通信の分野に関し、具体的には、中継無線通信に関し、より詳細には、ネットワーク制御端末に用いられる電子装置及び当該電子装置に用いられる方法、ネットワークノードに用いられる電子装置及び当該電子装置に用いられる方法に関する。
【背景技術】
【０００３】
近年、ＬＴＥ技術を使用してＭＴＣ（Ｍａｃｈｉｎｅ  Ｔｙｐｅ  Ｃｏｍｍｕｎｉｃａｔｉｏｎ）装置接続と通信を実現することが業界の注目を集めている。多くのシナリオでは、これらの低エネルギー消費の装置はウェアラブル装置であり、且つ、人々の周囲のスマートフォンとの距離が小さい。この時、スマートフォンをウェアラブル装置の中継装置として使用する、即ち、ＵＥ−ｔｏ−Ｎｅｔｗｏｒｋ通信方式は、ウェアラブル装置のエネルギー消費を低減することができる。
【０００４】
図１及び２に示すように、Ｒｅｌｅａｓｅ１４では、２つの中継シナリオが主に検討され、その中、Ｕｕは、ｅＮＢと中継ユーザー装置（ＵＥ）との間の通信リンクを表し、ＰＣ５は、中継ＵＥとリモートＵＥとの間の通信リンクを表し、ＵＬはアップリンクを表し、ＤＬはダウンリンクを表す。図１は、リモートＵＥが中継ＵＥを介してアップ・ダウンリンクデータを伝送する、即ち、リモートＵＥがｅＮＢと直接的に通信せず、アップ・ダウンリンク伝送の両方が中継ＵＥを介して完了される双方向中継シナリオを示す。図２は、リモートＵＥが中継ＵＥを介してアップリンクデータのみを伝送し、ダウンリンクデータが依然としてＵｕリンクを介してｅＮＢから直接的に受信される一方向中継シナリオを示す。
【発明の概要】
【０００５】
本発明に関するある態様の基本的理解を提供するように、本発明に関する簡単な概説を以下に示す。この概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【０００６】
本出願の一態様によれば、ネットワーク制御端末に用いられる電子装置を提供し、中継ネットワークノードとリモートネットワークノードとの間の中継リンクに対して、中継ネットワークノード及び／又はリモートネットワークノードのための間欠受信ＳＬ−ＤＲＸを配置し、中継ネットワークノード及び／又はリモートネットワークノードに指示するために、ＳＬ−ＤＲＸの配置が含まれた制御シグナリングを生成するように配置される処理回路を含む。
【０００７】
本出願の別の態様によれば、ネットワークノードに用いられる電子装置を提供し、当該ネットワークノードと１つ又は複数の他のネットワークノードとの間の中継リンクに対して、ネットワークノード及び／又は１つ又は複数の他のネットワークノードのための間欠受信ＳＬ−ＤＲＸを配置し、ＳＬ−ＤＲＸの配置に基づいてネットワークノードと１つ又は複数の他のネットワークノードとの間の中継伝送を行うように配置される処理回路を含む。
【０００８】
本出願の一態様によれば、ネットワーク制御端末に用いられる電子装置の方法を提供し、中継ネットワークノードとリモートネットワークノードとの間の中継リンクに対して、中継ネットワークノード及び／又はリモートネットワークノードのための間欠受信ＳＬ−ＤＲＸを配置することと、中継ネットワークノード及び／又はリモートネットワークノードに指示するために、ＳＬ−ＤＲＸの配置が含まれた制御シグナリングを生成することとを含む。
【０００９】
本出願の別の態様によれば、ネットワークノードに用いられる電子装置の方法を提供し、当該ネットワークノードと１つ又は複数の他のネットワークノードとの間の中継リンクに対して、ネットワークノード及び／又は１つ又は複数の他のネットワークノードのための間欠受信ＳＬ−ＤＲＸを配置することと、ＳＬ−ＤＲＸの配置に基づいてネットワークノードと１つ又は複数の他のネットワークノードとの間の中継伝送を行うこととを含む。
【００１０】
本発明の他の態様によれば、電子装置の方法に用いられるコンピュータプログラムコードと、コンピュータプログラム製品と、当該これらの方法を実現するためのコンピュータプログラムコードが記録されたコンピュータ可読記憶媒体をさらに提供する。
【００１１】
本出願の実施例による電子装置及び方法は、中継リンクで間欠受信（ＤＲＸ）を使用することによって、中継通信を行うネットワークノードのエネルギー消費を低減することができる。
【００１２】
本発明の上記及びその他の利点は、添付の図面を参照して本発明の好ましい実施例の以下の詳細な説明からより明らかになる。
【図面の簡単な説明】
【００１３】
本発明の上記及びその他の利点及び特徴についてさらに記述するために、以下、本発明の具体的な実施形態について添付の図面を参照してさらに詳細に説明する。添付の図面は、以下の詳細な説明と共に本明細書に組み込まれ、本明細書の一部を形成する。同じ機能及び構造を有する構成要素は同じ参照符号によって示されている。これらの図面が本発明の典型的な例のみを示しており、本発明の範囲を限定するものとみなされるべきではないことは理解すべきである。図面において、
【００１４】
【図１】双方向中継シナリオを示す概略図である。
【図２】一方向中継シナリオを示す概略図である。
【図３】本出願の一実施例によるネットワーク制御端末に用いられる電子装置を示す機能モジュールブロック図である。
【図４】ＳＬ−ＤＲＸ配置の各タイマーの関係の一例を示す図である。
【図５】ＳＬ−ＤＲＸ配置方式を示す概略図である。
【図６】本出願の一実施例によるネットワークノードに用いられる電子装置を示す機能モジュールブロック図である。
【図７】ネットワーク制御端末の集中型スケジューリングの場合の情報の流れを示す概略図である。
【図８】ネットワーク制御端末がＤＲＸとＳＬ−ＤＲＸを調整する情報の流れを示す概略図である。
【図９】ＳＬ−ＤＲＸスリープインジケータに基づく調整の情報の流れを示す概略図である。
【図１０】中継ネットワークノードが「先着順」原則に基づいて受信する情報の流れを示す概略図である。
【図１１】ＳＬ−ＤＲＸがＤＲＸの前にウェイクアップする場合に、ユニバーサルリンクと中継リンクにおけるサブフレーム配置を示す概略図である。
【図１２】ＤＲＸとＳＬ−ＤＲＸを使用する場合に、中継ネットワークノードが「先着順」原則に基づいて受信する情報の流れを示す概略図である。
【図１３】リモートネットワークノードが中継ネットワークノードの助けを利用して競合を解決する一例の情報の流れを示す概略図である。
【図１４】ＳＬＤＲＸ−ｏｎＤｕｒａｔｉｏｎＴｉｍｅｒの分割と割り当ての例を示す図である。
【図１５】一対多の中継シナリオにおける情報の流れを示す概略図である。
【図１６】本出願の一実施例によるネットワーク制御端末に用いられる電子装置の方法を示すフローチャートである。
【図１７】本出願の一実施例によるネットワークノードに用いられる電子装置の方法を示すフローチャートである。
【図１８】本開示の技術を適用できるｅＮＢの概要構成の第１の例を示すブロック図である。
【図１９】本開示の技術を適用できるｅＮＢの概要構成の第２の例を示すブロック図である。
【図２０】本開示の技術を適用できるスマートフォンの概要構成の例を示すブロック図である。
【図２１】本開示の技術を適用できるカーナビゲーションの概要構成の例を示すブロック図である。
【図２２】本発明の実施例による方法及び／又は装置及び／又はシステムを実現できる汎用コンピュータの例示的構成を示すブロック図である。
【発明を実施するための形態】
【００１５】
以下、本発明の例示的な実施例について添付図面を参照して説明する。明確化と簡潔さのために、実際の実施形態の全ての特徴が明細書に記述されているわけではない。しかしながら、こういう実際の実施例の開発において多くの実施形態特有の決定が行われなければならなく、開発者の具体的な目標を達成するようにし、例えば、システムや業務に関連する制約条件を満たし、これらの制約条件は実施形態によって変更する可能性があることを理解すべきである。加えて、開発作業は非常に複雑で時間がかかるが、そのような開発作業は本開示の利益を有する当業者にとって日常的なものであることも理解されるべきである。
【００１６】
ここで、不必要な詳細によって本発明を不明瞭にすることを避けるために、本発明による方案に密接に関連する装置構造及び／又は処理ステップのみが図面に示され、本発明とはほとんど関係のない他の詳細は省略される。
【００１７】
＜第１の実施例＞
前述のように、スマートフォンは、ウェアラブル装置の中継装置として機能し、ウェアラブル装置のエネルギー消費を低減することができる。伝送データストリームは通常、バースト性であり、即ち、一定時間のみデータ伝送が行われるため、受信側の装置は、データ伝送がない時に検出を停止して省電力化を達成することができ、間欠受信（ＤＲＸ）と呼ばれる。特に、ウェアラブル装置が低い送受信のデータ量の要求を有する場合に、ＤＲＸの適用は、装置のエネルギー消費の低減、ビジネスコストの低減にはより重要である。本出願では、ＤＲＸは中継リンク用であり、そのため、ＬＴＥにおけるＤＲＸ（ＵＥがｅＮＢからのデータに対して間欠受信を行う）と区別するために、Ｓｉｄｅｌｉｎｋ−ＤＲＸ（ＳＬ−ＤＲＸ）と呼ばれる。
【００１８】
図３は、本出願の一実施例によるネットワーク制御端末に用いられる電子装置１００の機能モジュールブロック図を示し、電子装置１００は、中継ネットワークノードとリモートネットワークノードとの間の中継リンクに対して、中継ネットワークノード及び／又はリモートネットワークノードのための間欠受信ＳＬ−ＤＲＸを配置するように配置される確定ユニット１０１と、中継ネットワークノード及び／又はリモートネットワークノードに指示するために、ＳＬ−ＤＲＸの配置が含まれた制御シグナリングを生成するように配置される生成ユニット１０２とを含む。
【００１９】
その中、確定ユニット１０１と生成ユニット１０２は例えば、１つ以上の処理回路によって実現することができ、当該処理回路は例えばチップとして実現してもよい。
【００２０】
ネットワーク制御端末とは、通信活動に関する設置、制御、通信リソース割り当てなどの機能を実現するための通信システムにおけるエンティティであり、例えば、セルラー通信システムにおける基地局、Ｃ−ＲＡＮ（Ｃｌｏｕｄ−ＲＡＮ／Ｃｅｎｔｒａｌｉｚｅｄ−ＲＡＮ）構造（セルの概念が存在しない場合がある）のベースバンドクラウドデバイスであり、例えば、Ｃ−ＲＡＮアーキテクチャでの互いに高速で接続されるＢＢＵプールのうちいずれかのＢＢＵ等である。ネットワークノードとは、通信リソースを使用してその通信目的を実現する通信システムにおけるエンティティであり、例えば、様々なユーザー装置（例えば、セルラー通信能力を有するモバイル端末、インテリジェント車両、インテリジェント車両、スマートウェアラブル装置等）又は小セル基地局などのネットワークインフラである。
【００２１】
本出願の技術方案は様々な中継シナリオに適用でき、図１及び図２に示すような中継シナリオを含むがこれらに限定されなく、その中、図１及び図２におけるｅＮＢはネットワーク制御端末の一例であり、中継ＵＥ及びリモートＵＥはそれぞれ、中継ネットワークノード及びリモートネットワークノードの例である。また、リモートネットワークノードの位置について、異なる設置が存在してもよく、例えば、リモートネットワークノードはネットワーク制御端末のカバレッジ内に位置してもよいし、カバレッジ外に位置してもよい。
【００２２】
中継ネットワークノードとリモートネットワークノードとの間に中継リンク（Ｓｉｄｅｌｉｎｋ）を構築した場合に、両方が中継通信を行う時に、ＰＳＣＣＨ（ｐｈｙｓｉｃａｌ  ｓｉｄｅｌｉｎｋ  ｃｏｎｔｒｏｌ  ｃｈａｎｎｅｌ）を相手に送信するか又は相手からのＰＳＣＣＨを受信する。ただし、中継ネットワークノードとリモートネットワークノードとは常に中継リンクにおけるＰＳＣＣＨを検出すれば、過度の電力を消費することがある。そのため、本実施例では、中継リンクに対して中継ネットワークノード及びリモートネットワークノードのためのＤＲＸを配置し、ＳＬ−ＤＲＸと呼ばれる。このように、ＰＳＣＣＨの検出を間欠的に停止することによって、省電力化の目的が達成される。例えば、確定ユニット１０１は、前記中継ネットワークノード及び／又は前記リモートネットワークノードがＰＳＣＣＨを検出するアクティブ時間及びＰＳＣＣＨを検出しないスリープ時間を確定することができる。
【００２３】
注意すべきことは、ＳＬ−ＤＲＸが、伝統的なＤＲＸ、即ち、ネットワークノードとネットワーク制御端末とのダウンリンクにおいてＰＤＣＣＨ（ｐｈｙｓｉｃａｌ  ｄｏｗｎｌｉｎｋ  ｃｏｎｔｒｏｌ  ｃｈａｎｎｅｌ）の受信を間欠的に停止することと互いに独立することである。
【００２４】
当該実施例では、ネットワーク制御端末の電子装置１００がＳＬ−ＤＲＸの配置を行う。例えば、電子装置１００、具体的には、確定ユニット１０１は、中継ネットワークノードとリモートネットワークノードの両方のＳＬ−ＤＲＸを配置することができる。又は、電子装置１００は、中継ネットワークノードのＳＬ−ＤＲＸのみを配置し、中継ネットワークノードはリモートネットワークノードのＳＬ−ＤＲＸを配置することができる。また、一実施例では、電子装置１００はリモートネットワークノードのＳＬ−ＤＲＸのみを配置してもよい。
【００２５】
一例では、ＳＬ−ＤＲＸの配置は、以下のタイマーを含むことができる。即ち、ネットワークノードがスリープ状態からウェイクアップした後にＰＳＣＣＨを検出する連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと、１つのＳＬ−ＤＲＸサイクルに含まれたサブフレームの数を指示するためのＳＬＤＲＸ−Ｃｙｃｌｅと、各ＳＬ−ＤＲＸサイクルの開始時のサブフレーム位置を指示するためのＳＬＤＲＸ−ＳｔａｒｔＯｆｆｓｅｔとである。
【００２６】
図４は上記各タイマーの関係の一例を示す図である。その中、灰色で塗りつぶされたボックスがＳＬＤＲＸ−ｏｎＤｕｒａｔｉｏｎＴｉｍｅｒに対応し、ネットワークノードがスリープ状態からウェイクアップした後、灰色部分によって表される連続するＰＳＣＣＨサブフレーム内のＰＳＣＣＨを検出し、ＳＬＤＲＸ−ｏｎＤｕｒａｔｉｏｎＴｉｍｅｒが（図４の例では２つのサブフレーム）タイムアウトする場合に１つのＰＳＣＣＨが正常に復号されなかった場合、ネットワークノードがスリープ状態に移行する。
【００２７】
逆に、１つのＰＳＣＣＨが正常に復号されば、ネットワークノードは検出状態を維持しながら、タイマーＳＬＤＲＸ−ＩｎａｃｔｉｖｉｔｙＴｉｍｅｒを起動して計時を開始し、ＳＬＤＲＸ−ＩｎａｃｔｉｖｉｔｙＴｉｍｅｒは図中のドットで塗りつぶされたボックスによって表わされ、ネットワークノードが１つのＰＳＣＣＨの復号に成功するのを待つＰＳＣＣＨサブフレームの最大数を表す。そのため、ネットワークノードが１つの最初のＰＳＣＣＨを成功に復号する時に、当該タイマーをリセットする必要がある。ＳＬＤＲＸ−ＩｎａｃｔｉｖｉｔｙＴｉｍｅｒがタイムアウトする時に、ネットワークノードは、１つのＳＬ−ＤＲＸサイクルを再開し、即ち、ＳＬＤＲＸ−ｏｎＤｕｒａｔｉｏｎＴｉｍｅｒを開始する。図４の空白のボックスはＳＬ−ＤＲＸのスリープ時間を表す。ＳＬＤＲＸ−Ｃｙｃｌｅは、ＳＬＤＲＸ−ｏｎＤｕｒａｔｉｏｎＴｉｍｅｒ及びＳＬ−ＤＲＸのスリープ時間の２つの部分を含む１つのＳＬ−ＤＲＸサイクルに含まれたサブフレームの数である。
【００２８】
図４は、ネットワークノードがウェイクアップする全時間ＳＬＤＲＸ−ＡｃｔｉｖｅＴｉｍｅを示し、ＳＬＤＲＸ−ｏｎＤｕｒａｔｉｏｎＴｉｍｅｒとＳＬＤＲＸ−ＩｎａｃｔｉｖｉｔｙＴｉｍｅｒと連続受信時間が含まれたことが分かる。その中、スラッシュボックスはＳＬ−ＤＲＸの連続受信時間を表し、ＳＬＤＲＸ−ＩｎａｃｔｉｖｉｔｙＴｉｍｅｒを超えてＰＳＣＣＨサブフレームが正常に復号されなかった時に、ＳＬＤＲＸ−ＩｎａｃｔｉｖｉｔｙＴｉｍｅｒはタイムアウトする。ＰＳＣＣＨが検出されなかった場合に、ＳＬＤＲＸ−ｏｎＤｕｒａｔｉｏｎＴｉｍｅｒはウェイクアップのアクティブ時間に対応し、ＳＬＤＲＸ−ＣｙｃｌｅからＳＬＤＲＸ−ｏｎＤｕｒａｔｉｏｎＴｉｍｅｒを差し引いた時間はスリープ時間である。ネットワークノードはＳＬＤＲＸ−Ｃｙｃｌｅをサイクルとして循環する。
【００２９】
また、ＳＬＤＲＸ−ｏｎＤｕｒａｔｉｏｎＴｉｍｅｒを起動できるように、現在のサブフレームがＳＬＤＲＸ−ＳｔａｒｔＯｆｆｓｅｔを満たすかどうかという判断は下記の式（１）によって決定される。
【００３０】
［（ＳＦＮ＊１０）＋現在のサブフレームの数］  ｍｏｄｕｌｏ  （ＳＬＤＲＸ−Ｃｙｃｌｅ）  ＝  ＳＬＤＲＸ−ＳｔａｒｔＯｆｆｓｅｔ        ……（１）
【００３１】
その中、ＳＦＮはシステムフレーム番号、サイクルは１０２４である。１つのフレームには１０つのサブフレームが含まれる。ＳＬＤＲＸの開始サブフレーム位置がここで算出されたので、ＳＦＮに１０を掛ける。
【００３２】
そのため、ＳＬＤＲＸ−ＳｔａｒｔＯｆｆｓｅｔは、各ＳＬ−ＤＲＸサイクルの開始時のサブフレーム位置を確定するためのものである。
【００３３】
生成ユニット１０２は上記ＳＬ−ＤＲＸ配置が含まれた制御シグナリングを生成して、対応する中継ネットワークノード及び／又はリモートネットワークノードにＳＬ−ＤＲＸ配置を行うことを指示する。当該制御シグナリングは例えば、無線リソース制御（Ｒａｄｉｏ  Ｒｅｓｏｕｒｃｅ  Ｃｏｎｔｒｏｌ、ＲＲＣ）シグナリングであってもよい。
【００３４】
また、電子装置１００は、図３の点線のボックスに示すように、制御シグナリングを中継ネットワークノード及び／又はリモートネットワークノードに送信するように配置される送受信ユニット１０３をさらに含むことができる。例えば、送受信ユニット１０３はＲＲＣシグナリングによって送信を行うことができる。
【００３５】
一例では、例えば、双方向中継シナリオにおいて、確定ユニット１０１は中継ネットワークノードとリモートネットワークノードの両方のＳＬ−ＤＲＸ配置を確定する場合、送受信ユニット１０３は、中継ネットワークノードとリモートネットワークノードのＳＬ−ＤＲＸ配置が含まれた制御シグナリングを中継ネットワークノードに送信するように配置され、その中、リモートネットワークノードのＳＬ−ＤＲＸ配置は中継ネットワークノードによって転送される。当該転送は、例えば、ＲＲＣシグナリング又はブロードキャストシグナリングによって実現することができる。
【００３６】
別の例では、例えば、一方向中継シナリオにおいて、確定ユニット１０１は中継ネットワークノードとリモートネットワークノードの両方のＳＬ−ＤＲＸ配置を確定する場合、送受信ユニット１０３は、それぞれのＳＬ−ＤＲＸ配置が含まれた制御シグナリングを中継ネットワークノードとリモートネットワークノードにそれぞれ送信するように配置されてもよい。
【００３７】
ＳＬ−ＤＲＸの配置方式はこれに限定されず、例えば、中継ネットワークノードはリモートネットワークノードに対してＳＬ−ＤＲＸ配置を行うか中継ネットワークノードとリモートネットワークノードがＳＬ−ＤＲＸを相互に配置することは理解すべきである。理解を容易にするために、図５は、ＳＬ−ＤＲＸ配置方式の概略図を示し、その中、方式１は、ネットワーク制御端末が中継ネットワークノードとリモートネットワークノードにそれぞれＳＬ−ＤＲＸ配置を送信する方式であり、方式２は中継ネットワークノードがリモートネットワークノードにＳＬ−ＤＲＸ配置を送信する方式（ＳＬ−ＤＲＸ配置はネットワーク制御端末から受信することも、中継ネットワークノード自体によって確定することもできる）であり、方式３は中継ネットワークノードとリモートネットワークノードがＳＬ−ＤＲＸを相互に配置する方式である。これらの方式は単なる例示であり、これに限定されないことに注意されたい。
【００３８】
当該実施例による電子装置１００は中継リンクのＳＬ−ＤＲＸを配置することによって、中継ネットワークノード及び／又はリモートネットワークノードのエネルギー消費を低減することができる。
【００３９】
＜第２の実施例＞
図６は、本出願の一実施例によるネットワークノードに用いられる電子装置２００の構成ブロック図を示し、当該電子装置２００は、当該ネットワークノードと１つ又は複数の他のネットワークノードとの間の中継リンクに対して、ネットワークノード及び／又は１つ又は複数の他のネットワークノードのための間欠受信ＳＬ−ＤＲＸを配置するように配置される確定ユニット２０１と、ＳＬ−ＤＲＸの配置に基づいてネットワークノードと１つ又は複数の他のネットワークノードとの間の中継伝送を行うユニットとを含む。
【００４０】
本実施例におけるネットワークノードは中継ネットワークノードであってもよいし、リモートネットワークノードであってもよい。中継ネットワークノードの場合に、当該中継ネットワークノードと複数のリモートネットワークノードとの間に中継リンクが存在する場合、即ち、１対多の中継の場合がある。
【００４１】
例えば、確定ユニット２０１は、ネットワーク制御端末からの制御シグナリングに基づいてＳＬ−ＤＲＸの配置を確定することができる。例えば、確定ユニット２０１は前記ネットワークノード及び／又は１つ又は複数の他のネットワークノードがＰＳＣＣＨを検出するアクティブ時間及びＰＳＣＣＨを検出しないスリープ時間を確定することができる。その中、ＳＬ−ＤＲＸの配置は、例えば、ネットワークノードがスリープ状態からウェイクアップした後にＰＳＣＣＨを検出する連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと。１つのＳＬ−ＤＲＸサイクルに含まれたサブフレームの数を指示するためのＳＬＤＲＸ−Ｃｙｃｌｅと、各ＳＬ−ＤＲＸサイクルの開始時のサブフレーム位置を指示するためのＳＬＤＲＸ−ＳｔａｒｔＯｆｆｓｅｔとを含むことができる。ＳＬ−ＤＲＸの配置は、第１の実施例では詳細に説明され、ここでは繰り返さない。
【００４２】
一例では、当該ネットワークノードは中継ネットワークノードであり、ネットワーク制御端末からの制御シグナリングは。当該ネットワークノードと１つ又は複数の他のネットワークノード（即ち、当該ネットワークノードのリモートネットワークノード）のＳＬ−ＤＲＸの配置を含む。この場合、確定ユニット２０１は当該ネットワークノードとそのリモートネットワークノードのＳＬ−ＤＲＸの配置を確定することができる。
【００４３】
逆に、制御シグナリングはリモートネットワークノードのＳＬ−ＤＲＸの配置を含まなければ、確定ユニット２０１は当該制御シグナリングによって、当該ネットワークノードのＳＬ−ＤＲＸの配置のみを確定する。
【００４４】
また、確定ユニット２０１は、他の方式でそのリモートネットワークノードのＳＬ−ＤＲＸの配置を確定することもできる。例えば、確定ユニット２０１はネットワークノードが送信するデータによって、１つ又は複数の他のネットワークノードのＳＬ−ＤＲＸの配置を確定する。これは、受信側のＳＬ−ＤＲＸ配置が送信側によって送信されるデータの量に依存するためである。もちろん、確定ユニット２０１は他の要因によってリモートネットワークノードのＳＬ−ＤＲＸの配置を確定してもよく、これに限定されるものではない。
【００４５】
一方向中継シナリオのような別の例では、当該ネットワークノードはリモートネットワークノードである。この場合、確定ユニット２０１はネットワークノードが送信するデータによって中継ネットワークノードのＳＬ−ＤＲＸの配置を確定することもできる。
【００４６】
電子装置２００は、図６の点線のボックスに示すように、他のネットワークノードのＳＬ−ＤＲＸの配置が含まれた制御シグナリングを、対応するネットワークノードに送信するように配置される送受信ユニット２０３をさらに含んでもよい。例えば、中継ネットワークノードは、ネットワーク制御端末から受信したＳＬ−ＤＲＸの配置をリモートネットワークノードに転送するか、又は、中継ネットワークノード自体によって確定されたＳＬ−ＤＲＸの配置を送信する（例えば、図５の方式２に対応する）。或いは、リモートネットワークノードは、その確定したＳＬ−ＤＲＸ的配置を中継ネットワークノードに送信する（例えば、図５の方式３に対応する）。
【００４７】
送受信ユニット２０３は、ＲＲＣシグナリング又はブロードキャストシグナリングによって送信を行うことができる。１対多の中継のシナリオでは、ブロードキャストシグナリングを使用することは、シグナリングオーバーヘッドを低減するのに役立つ。
【００４８】
また、送受信ユニット２０３は、ＳＬ−ＤＲＸスリープ状態に入ることを他のネットワークノードに指示する制御情報を他のネットワークノードに送信するか又は他のネットワークノードから当該制御情報を受信するように配置されてもよい。例えば、ネットワークノードが送信するデータの量が小さい場合、又は送信がまもなく完了する場合、当該制御情報によってＳＬ−ＤＲＸスリープ状態に入ることを他のネットワークノードに指示することができる。例えば、当該制御情報を受信した後、他のネットワークノードは新しいＳＬ−ＤＲＸ  Ｃｙｃｌｅに入り、ＳＬＤＲＸ−ｏｎＤｕｒａｔｉｏｎＴｉｍｅｒがタイムアウトした後スリープ状態に入る。そのため、第１の実施例で説明したＳＬＤＲＸ−ＩｎａｃｔｉｖｉｔｙＴｉｍｅｒがタイムアウトしてスリープ状態に入る場合に加えて、これはネットワークノードがスリープ状態に入る別の方法を提供する。
【００４９】
例えば、当該制御情報は、ＬＣＩＤを携帯するＭＡＣ  ＰＤＵサブヘッダによって表されてもよい。具体的に、１つのコマンド要素ＳＬＤＲＸ  Ｃｏｍｍａｎｄ  ＭＡＣ  ＣＥを追加することができ、ＳＬＤＲＸ  Ｃｏｍｍａｎｄ  ＭＡＣ  ＣＥに対応するＬＣＩＤは、以下の表１に示すように、ＳＬ−ＳＣＨ上に表され、ＳＬＤＲＸ  Ｃｏｍｍａｎｄ  ＭＡＣ  ＣＥは５ビットの固定長を有することが分かる。
【００５０】
【表１】
2019525607.tif 000003
【００５１】
そのため、図４に示すように、ネットワークノードは、値が「１１０１１」であるＳＬＤＲＸ  Ｃｏｍｍａｎｄ  ＭＡＣ  ＣＥを受信した時に、ＳＬ−ＤＲＸスリープ状態に入ることができる。
【００５２】
当該実施例による電子装置２００は中継リンクのＳＬ−ＤＲＸを実行することによって、ネットワークノードのエネルギー消費を低減することができる。
【００５３】
＜第３の実施例＞
中継リンク上にＳＬ−ＤＲＸが導入された後、中継ネットワークノードがデータを受信するＳＬＤＲＸ−ＡｃｔｉｖｅＴｉｍｅの長さは、スケジューリング決定及び復号の成否に伴って変化し、且つ、リモートネットワークノードがデータを中継ネットワークノードに送信する時に、中継ネットワークノードとネットワーク制御端末とのダウンリンク通信状態を知らない。そのため、ＦＤＤなどの一部の通信システムにおいて、中継ネットワークノードはＳＬＤＲＸ−ＡｃｔｉｖｅＴｉｍｅ内で、ネットワーク制御端末からのデータを同時に受信した場合がある。このようにして、データの競合が発生し、中継ネットワークノードはそのうち１つのリンクのデータを失う。ネットワーク制御端末と中継ネットワークノードからのデータを受信可能なリモートネットワークノードについても、同様の問題が存在する。そのため、データ受信中に発生する競合を避け、高いエネルギー効率とサービス品質（ＱｏＳ）のバランスを保証するために、本実施例は、調整のための方案を提案する。
【００５４】
これらの方案について、図３の電子装置１００及び図６の電子装置２００を参照して以下に説明する。
【００５５】
（方案一）
一例では、ネットワーク制御端末による集中型スケジューリングによって調整を行う。例えば、確定ユニット１０１は、競合を避けるために、互いに直交するリソースを、前記ネットワーク制御端末から前記中継ネットワークノードへのユニバーサルリンクダウンリンク伝送と、前記リモートネットワークノードから前記中継ネットワークノードへの中継リンク伝送の２つの伝送に割り当てるように配置されることができる。或いは、確定ユニット１０１は、競合を避けるために、互いに直交するリソースを、前記ネットワーク制御端末から前記リモートネットワークノードへのユニバーサルリンクダウンリンク伝送と、前記中継ネットワークノードから前記リモートネットワークノードへの中継リンク伝送の２つの伝送に割り当てるように配置されることができる。
【００５６】
例えば、確定ユニット１０１は、当該中継ネットワークノードにデータを送信するために、直交する無線リソースをネットワーク制御端末とリモートネットワークノードに割り当てることができる。直交するリソースは例えば、時間的に分離された、互いに重ならないリソースである。このようにして、中継ネットワークノードが受信したネットワーク制御端末とリモートネットワークノードからのデータは、元々時間領域で独立して、データの競合を避けることができる。
【００５７】
また、ある実施例では、中継リンクとユニバーサルリンク上の伝送要求が同時に発生する時に、確定ユニット１０１はユニバーサルリンクと中継リンクの優先度に従ってその伝送順序を設置し、当該伝送順序に従って中継ネットワークノード又はリモートネットワークノードのＳＬ−ＤＲＸ配置を更新することができる。
【００５８】
例えば、中継ネットワークノードは、まず、他のリンクの状態にかかわらず、優先度の高い１つリンク上のデータを受信する。一実施例では、ユニバーサルリンク上の送信及び受信の優先度はいずれも中継リンク上の送信又は受信よりも高い。中継リンクとユニバーサルリンクダウンリンクの両方にデータ伝送要求が同時にある時に、中継ネットワークノードは、まず、ユニバーサルリンクからの情報を受信する。その後、確定ユニット１０１は当該中継ネットワークノードのＳＬ−ＤＲＸ配置を更新し、少し遅くデータを中継ネットワークノードに送信するように、リモートネットワークノードをスケジューリングすることができる。
【００５９】
リモートネットワークノードに競合が発生する場合に、同様に処理することができ、この場合、確定ユニットは、当該リモートネットワークノードのＳＬ−ＤＲＸ配置を更新して、少し遅くデータをリモートネットワークノードに送信するように中継ネットワークノードをスケジューリングする。
【００６０】
一方、中継リンク上の送信又は受信の優先度が高い時に、中継ネットワークノードはまず中継リンクからの情報を受信し、ネットワーク制御端末は、少し遅くデータを中継ネットワークノードに送信するようにスケジューリングされる。
【００６１】
図７は、ネットワーク制御端末の集中型スケジューリングの場合の情報の流れを示す概略図であり、その中、中継ネットワークノードでの競合を避けることを例として、２つのＳＬ−ＤＲＸ  ＡｃｔｉｖｅＴｉｍｅでは、ユニバーサルリンクの優先度が高い場合と、中継リンクの優先度が高い場合をそれぞれ示し、その中、ＳＬは中継リンクを表し、Ｕｕはユニバーサルリンクを表し、ＵＬはアップリンクを表し、ＤＬはダウンリンクを表し、ＳＬ−ＤＲＸのスリープ時間は灰色で塗りつぶされたボックスによって表され、ＳＬ−ＤＲＸ  ＡｃｔｉｖｅＴｉｍｅは空白のボックスによって表される。その中、図７に示すように、ネットワーク制御端末が、直交するリソースをリモートネットワークノード直接的に割り当て、これは、図２に示す一方向中継シナリオである。図１に示す双方向中継シナリオでは、ネットワーク制御端末は中継ネットワークノードを介して直交するリソースをリモートネットワークノードに割り当てる。これから分かるように、ネットワーク制御端末によるリソースの集中型スケジューリングによって、アップリンク中継リンクとダウンリンクユニバーサルリンクの送信リソースを直交にすることで、避免或減少競合の発生を効果的に回避又は低減し、エネルギー効率とサービス品質を向上させることができる。
【００６２】
前記のように、中継リンクにＳＬ−ＤＲＸを適用すると同時に、ネットワーク制御端末とネットワークノードとの間のユニバーサルダウンリンクにＤＲＸを適用することもできる。ここで、ネットワークノードは中継ネットワークノードであってもよいし、リモートネットワークノードであってもよい。この場合、ネットワーク制御端末からネットワークノードへのダウンリンクデータ伝送は。ＤＲＸ  ＡｃｔｉｖｅＴｉｍｅのみに発生し、ＤＲＸ  ＡｃｔｉｖｅＴｉｍｅは多くの要因によって影響されるため、ＳＬ−ＤＲＸ  ＡｃｔｉｖｅＴｉｍｅとＤＲＸ  ＡｃｔｉｖｅＴｉｍｅが重なって、データの競合が発生する可能性がある。
【００６３】
ネットワーク制御端末の集中型スケジューリングの場合に、確定ユニット１０１は、互いに直交する受信リソースをＤＲＸとＳＬ−ＤＲＸに割り当てるように配置されることができ、このようにして、競合の発生を避けることができる。
【００６４】
図８は、依然として中継ネットワークノードを例として、ネットワーク制御端末がＤＲＸとＳＬ−ＤＲＸを調整する情報の流れを示す概略図である。リモートネットワークノードの情報の流れと同様であることを理解されたい。例えば、確定ユニット１０１は、時間領域で互いに独立する受信時間窓をＤＲＸとＳＬ−ＤＲＸに割り当て、図８の上部に示すように、ＳＬ−ＤＲＸ  ＡｃｔｉｖｅＴｉｍｅとＤＲＸ  ＡｃｔｉｖｅＴｉｍｅは時間領域で分離され、競合を完全に避けることができる。
【００６５】
その中、ＤＲＸとＳＬ−ＤＲＸは、両方の受信時間窓が直交するように再配置されることによって、競合を避けることができる。また、両方の受信時間窓が重なる場合であっても、ネットワーク制御端末によるリソースのスケジューリング方法によって、図８の下部に示すように、２つのリンクにおけるネットワークノードの受信リソースを時間領域で直交し、つまり、同時に受信しないようにする。その中、ネットワーク制御端末によるリソースのスケジューリング方法のシグナリングオーバーヘッドが小さいので、時間窓が重なる場合に、リソーススケジューリング方式を優先的に利用して競合を解決することができる。
【００６６】
当該方案では、ネットワーク制御端末が集中的にスケジューリングしてネットワークノードに対するユニバーサルリンク及び中継リンクの伝送を調整することによって、競合を効果的に避け、サービス品質とエネルギー効率を向上させることができる。
【００６７】
（方案二）
当該示例では、中継ネットワークノードによって、中継ネットワークノードに対するユニバーサルリンクダウンリンク伝送と、中継ネットワークノードに対する中継リンク伝送を調整することができる。例えば、中継ネットワークノードはリモートネットワークノードが使用するリソースをスケジューリングして競合を避けることができる。
【００６８】
例示的に、ネットワークノードに用いられる電子装置２００における確定ユニット２０１は、競合を避けるために、ネットワーク制御端末から中継ネットワークノードへのユニバーサルリンクダウンリンク伝送に使用されるリソースと直交するリソースを、リモートネットワークノードから中継ネットワークノードへの中継リンク伝送に割り当てるように配置されることができる。当該方案では、方案一におけるネットワーク制御端末の集中型スケジューリングの場合と同様に、図７の点線矢印に示すように、実行主体がネットワーク制御端末ではなく中継ネットワークノードであることを除いて、同様のリソーススケジューリングを実行する。
【００６９】
以上のように、中継リンクにＳＬ−ＤＲＸを適用すると同時に、ネットワーク制御端末とネットワークノードとの間のユニバーサルダウンリンクにＤＲＸを適用することができる。この場合、確定ユニット２０１はＤＲＸと互いに直交する受信リソースをＳＬ−ＤＲＸに割り当てるように配置されてもよい。
【００７０】
例えば、確定ユニット２０１は、時間領域でＤＲＸと互いに独立する受信時間窓をＳＬ−ＤＲＸに割り当てることができる。また、両方の受信時間窓が重なる場合であっても、確定ユニット２０１は、図８の下部の点線矢印に示すように、リソースをスケジューリングすることによって、２つのリンクにおける中継ネットワークノードの受信リソースを時間領域で直交させる、即ち、同時に受信しない。
【００７１】
（方案三）
リモートネットワークノードが自主的にリソースを選択するシナリオでは、中継ネットワークノードはネットワーク制御端末とリモートネットワークノードとの間の「仲介者」として機能し、ユニバーサルリンクと中継リンクの伝送を調整して競合を避けることができる。
【００７２】
当該シナリオは、以下の２つのケースを含む。即ち、第１に、リモートネットワークノードがネットワーク制御端末のカバレッジ内にあり、リモートネットワークノードによって選択された送信リソースはユニバーサルリンクダウンリンク伝送リソースと重なる可能性があり、これは、送信リソースのリソースプールにおけるリソースがセルラーリソースに対して直交又は非直交するためである。第二に、リモートネットワークノードがネットワーク制御端末のカバレッジ外にあって、予め配置された送信リソースを使用し、この時、ネットワーク制御端末は、リモートネットワークノードがどのリソースを選択して送信するかを知らなかったため、送信リソースはユニバーサルリンクダウンリンク伝送リソースと重なる可能性もある。
【００７３】
当該シナリオでは、中継ネットワークノードは、そのＳＬＤＲＸ配置とＳＬＤＲＸ  ＡｃｔｉｖｅＴｉｍｅを知っている。しかし、ネットワーク制御端末が送信するデータは予測できないので、中継ネットワークノードは、それが中継リンク上でいつスリープ状態になるかをネットワーク制御端末に通知し、中継ネットワークノードが中継リンク上でスリープ状態になるたびに、ネットワーク制御端末はデータ又は制御情報を中継ネットワークノードに送信することができる。
【００７４】
具体的に、確定ユニット２０１は、中継ネットワークノードの中継リンクがスリープ状態に入ることをネットワーク制御端末に指示するための指示を生成して、例えば、送受信ユニット２０３によってネットワーク制御端末に送信するように配置されてもよい。当該指示は、例えば、中継ネットワークノードによって、ＳＬＤＲＸ−ｏｎＤｕｒａｔｉｏｎ  Ｔｉｍｅｒの後の１つのサブフレームで、ＭＡＣ層を介して１つのＳＬＤＲＸ−ＳＬｅｅｐ  Ｉｎｄｉｃａｔｏｒをネットワーク制御端末に送信して、当該中継ネットワークノードが中継リンク上でスリープ状態に入ることを通知することができる。ネットワーク制御端末は、当該指示を受信した後、確定中継ネットワークノードがユニバーサルリンクダウンリンク伝送の情報を受信することができることを確定する。
【００７５】
相応的に、ネットワーク制御端末に用いられる電子装置１００の確定ユニット１０１は中継ネットワークノードからのＳＬ−ＤＲＸスリープインジケータに従って、ネットワーク制御端末から中継ネットワークノードへのユニバーサルリンクダウンリンク伝送をスケジューリングするように配置されてもよく、その中、ＳＬ−ＤＲＸスリープインジケータは中継ネットワークノードの中継リンクがスリープ状態に入ることを指示する。
【００７６】
例えば、ネットワーク制御端末は、ＳＬＤＲＸ−ｃｙｃｌｅとＳＬＤＲＸ−ＳｔａｒｔｏｆｆＳｅｔのような中継ネットワークノードのＳＬ−ＤＲＸの配置を知っているので、中継ネットワークノードのウェイクアップ時間を算出することができる。ネットワーク制御端末はウェイクアップ前の期間にダウンリンクデータを中継ネットワークノードに送信することができる。期間が満了する時に、ネットワーク制御端末はダウンリンクデータの送信を停止し、次のＳＬＤＲＸ−ＳＬｅｅｐ  Ｉｎｄｉｃａｔｏｒを待つ必要がある。ネットワーク制御端末と中継ネットワークノードとの間にＤＲＸを使用する場合、ネットワーク制御端末は、当該ＳＬ−ＤＲＸスリープインジケータに従って、ＳＬＤＲＸスリープであって且つＤＲＸ  ＡｃｔｉｖｅＴｉｍｅ時間内にデータを送信するようにデータの送信時間を調整することができる。
【００７７】
図９は、ＳＬ−ＤＲＸスリープインジケータに基づいて調整する情報の流れの概略図を示し、その中、ネットワーク制御端末はＳＬＤＲＸ−ＳＬｅｅｐ  Ｉｎｄｉｃａｔｏｒを受信した後、ＳＬ−ＤＲＸのスリープ時間ではデータ中継ネットワークノードに送信する。図から分かるように、当該方式は、新たに追加されたシグナリングによって中継ネットワークノードでのデータ競合を避けて、ネットワークエネルギー効率を向上させる。
【００７８】
また、上記したＳＬ−ＤＲＸスリープインジケータに基づく調整は方案一と組み合わせて使用することもでき、このようにして、ネットワーク制御端末が各サブフレームごとにリソースをスケジューリングするのを避けることができることで、消費電力を低減した上でサービス効率を向上させることができる。
【００７９】
（方案四）
依然として方案三のシナリオでは、追加のシグナリングを追加しないために、本方案四では、中継ネットワークノードは「先着順」原則に基づいてランダム受信を行い、特定の設置によって競合を解決する。
【００８０】
また、当該方案は、中継ネットワークノードだけではなく、ユニバーサルリンクダウンリンク伝送と中継リンク伝送との競合が発生する可能性があるリモートネットワークノードにも適用可能である。そのため、本方案では、中継リンクを介してデータを検討されたネットワークノードに送信するネットワークノードを他のネットワークノードと呼ぶ。
【００８１】
例えば、ネットワークノードは、時間優先の原則に従って、ネットワーク制御端末からのデータと他のネットワークノードからのデータの一方を受信し、確定ユニット２０１は受信の開始時にタイマーを起動し、当該タイマーの持続時間が所定の時間を超えた時に受信を停止するように配置される。
【００８２】
具体的に、ネットワークノードは時間順序に従って中継リンク又はユニバーサルリンクからのデータを受信する。例えば、ネットワークノードはユニバーサルリンク上で検出するか、又はＳＬＤＲＸ  ＡｃｔｉｖｅＴｉｍｅ上で検出し、ネットワークノードが最初に１つのリンク上でデータを受信すると仮定すると、図１０の（１）から（３）に示すように、ネットワークノードは、当該リンク上での情報が受信されるまで、その上での受信を維持する。ネットワークノードは最初にユニバーサルリンクダウンリンク上でデータを受信するが、受信過程ではＳＬＤＲＸ−ｏｎＤｕｒａｔｉｏｎＴｉｍｅｒが起動される場合、図１０の（４）から（７）に示すように、ネットワークノードは、中継リンク上のデータ伝送に関係なくユニバーサルリンクでの受信を維持する。
【００８３】
中継リンクを介してデータを送信する他のネットワークノードは再送信することができる。しかしながら、図１０の（８）、（９）に示すように、次のＳＬＤＲＸ−ｃｙｃｌｅ内で、ネットワーク制御端末はＳＬＤＲＸ−ｏｎＤｕｒａｔｉｏｎＴｉｍｅｒが起動される前にデータをネットワークノードに再度送信することによって、ネットワークノードは、他のネットワークノードに対する受信時間窓を再び逃す場合がある。勿論、中継リンクのデータが常に優先される場合もある。
【００８４】
そのため、ネットワーク制御端末及び他のネットワークノードの公平性及びＱｏＳを考慮し、タイマーＳＬＣｏｎｆｌｉｃｔ−Ｔｉｍｅｒをネットワークノード側で維持することができる。ＳＬＣｏｎｆｌｉｃｔ−Ｔｉｍｅｒの持続時間が所定の時間を超える場合、ネットワークノードはあまり多くの別のリンクの伝送データを逃した可能性がある。この場合、図１０における（１０）から（１２）に示すように、ネットワークノードは現在の受信を停止して、別のリンクを検出することができる。
【００８５】
図１０は、中継ノードが先着順の原則に従って受信する情報の流れの概略図を示す。図１０に示すように、ネットワークノードが、ＳＬを元々受信するＳＬＤＲＸ−ｏｎＤｕｒａｔｉｏｎＴｉｍｅｒ期間内に先にネットワーク制御端末からのデータ（６）を受信することを例として、ネットワークノードは、中継リンク上にデータ伝送があるかどうかにかかわらず、ユニバーサルリンク上での受信を維持しながらＳＬＣｏｎｆｌｉｃｔ−Ｔｉｍｅｒを起動して計時が開始される。そのため、この時、ＳＬＣｏｎｆｌｉｃｔ−Ｔｉｍｅｒの意味は中継リンク上の累積スリープ時間に相当する。次のＳＬＤＲＸ−ｏｎＤｕｒａｔｉｏｎＴｉｍｅｒ内に、ネットワークノードが中継リンク上からのデータを正常に受信する、即ち、ネットワーク制御端末がＳＬＤＲＸ−ｏｎＤｕｒａｔｉｏｎＴｉｍｅｒがタイムアウトする前にデータ伝送を終了すると、ＳＬＤＲＸ−ｏｎＤｕｒａｔｉｏｎＴｉｍｅｒは、何もしなく、計時状態から直接的にジャンプする。次回のＳＬＤＲＸ−ｏｎＤｕｒａｔｉｏｎＴｉｍｅｒ期間に先にユニバーサルリンクからのデータが受信されるまで、計時が再開される。例えば、当該タイマーの長さはＳＬ−ＤＲＸ  ｃｙｃｌｅの整数倍とすることができる。
【００８６】
図１０に示すように、ＳＬＣｏｎｆｌｉｃｔ−Ｔｉｍｅｒがタイムアウトすれば、ネットワークノードはネットワーク制御端末からのデータの受信を停止し、中継リンク上でのデータを優先的に処理することができる。ＳＬＣｏｎｆｌｉｃｔ−Ｔｉｍｅｒがタイムアウトする場合に、ネットワークノードは、他のネットワークノードからのデータを優先的に受信し、ネットワーク制御端末に送信するデータがあっても、ネットワークノードは当該データを逃すことが分かる。
【００８７】
上記では、ネットワーク制御端末とネットワークノードとの間のユニバーサルリンクにＤＲＸを使用しなく、以下、当該ユニバーサルリンクにＤＲＸを使用する方案について説明する。
【００８８】
例えば、確定ユニット２０１は、ＤＲＸとＳＬ−ＤＲＸとの受信時間窓が重なる場合に、ＤＲＸ又はＳＬ−ＤＲＸの配置を調整するための調整指示を生成して、ＤＲＸ又はＳＬ−ＤＲＸの配置を調整するようにネットワーク制御端末又は他のネットワークノードに指示するように配置される。
【００８９】
ネットワークノードは、ＤＲＸとＳＬ−ＤＲＸの配置及びウェイクアップ時間（即ち、受信時間窓）を既に知って、受信時間窓が重なれば、ネットワークノードは、２つのリンク上の状態を他のネットワークノード及びネットワーク制御端末に通知し、遅延受信の一方を選択し、例えばネットワーク制御端末又は他のネットワークノードに当該側の間欠受信の配置を調整するように通知する。
【００９０】
１つのケースとして、ＳＬ−ＤＲＸはＤＲＸの前にウェイクアップし、ネットワークノードは、ＳＬＤＲＸ−ｏｎＤｕｒａｔｉｏｎＴｉｍｅｒ又は  ＳＬＤＲＸ−ＩｎａｃｔｉｖｉｔｙＴｉｍｅｒがタイムアウトするまで、中継リンク上での受信を維持する。この期間にＤＲＸ−ｏｎＤｕｒａｔｉｏｎＴｉｍｅｒが起動されれば、ネットワークノードは、次のＤＲＸサイクルで再び重なることを避けるように、自身用のＤＲＸ配置を調整することをネットワーク制御端末に通知する必要があり、これは、確定ユニット２０１がＤＲＸ配置を調整する指示を生成し、送信ユニット２０３がそれをネットワーク制御端末に送信することによって実現することができる。
【００９１】
例えば、送信ユニット２０３は、ＳＬＤＲＸ−ｏｎＤｕａｒｔｉｏｎＴｉｍｅｒが終了した後のサブフレームで、調整指示ＤＲＸ−Ａｄｊｕｓｔ  ＩｎｄｉｃａｔｏｒをＭＡＣ層を介してネットワーク制御端末に送信することができる。
【００９２】
相応的に、ネットワーク制御端末に用いられる電子装置１００の確定ユニット１０１は当該調整指示に応じてネットワークノードのＤＲＸ配置を調整することができる。例えば、ネットワーク制御端末は、当該ネットワークノードのＤＲＸ−ｓｔａｒｔｏｆｆｓｅｔを更新し、即ち、次回のＤＲＸとＳＬ−ＤＲＸの時間窓が重ならないことを確保するために、ＤＲＸ  ｃｙｃｌｅの開始時間を後ろにある時間だけシフトする。図１１は、当該ケースにおけるユニバーサルリンクと中継リンク上におけるサブフレーム配置の概略図を示し、その中、上部は、中間リンクのサブフレーム配置を示し、下部は、ユニバーサルリンクのサブフレーム配置を示す。図１１では、ＤＲＸ  ｃｙｃｌｅの開始時間は、後ろに３つのサブフレームだけシフトされている。
【００９３】
また、確定ユニット２０１は、調整量を計算して、当該調整量に応じてＤＲＸの配置を調整することをネットワーク制御端末に指示するように配置される。当該示例では、当該調整量は後ろにシフトされた時間の長さである。勿論、当該調整量は予め設定された値であってもよい。相応的に、図１２の上部は当該ケースの情報の流れの例を示し、その中、斜線で囲まれたボックスは調整されたＤＲＸのＡｃｔｉｖｅＴｉｍｅを表し、当該ＤＲＸのＡｃｔｉｖｅＴｉｍｅがＳＬＤＲＸのスリープ時間内に収まることで、競合の発生を避けることができることが分かる。
【００９４】
別のケースとして、ＤＲＸは、ＳＬ−ＤＲＸの前にウェイクアップする可能性があり、ネットワークノードは、ＤＲＸ−ｏｎＤｕｒａｔｉｏｎＴｉｍｅｒ又はＤＲＸ−ＩｎａｃｔｉｖｉｔｙＴｉｍｅｒがタイムアウトするまで、ユニバーサルリンク上での受信を維持する。この期間にＳＬ−ＤＲＸ  ｏｎＤｕｒａｔｉｏｎＴｉｍｅｒが起動されれば、ネットワークノードは、ネットワーク制御端末に対してネットワークノードＳＬ−ＤＲＸ配置を調整するように、ネットワーク制御端末に通知する必要があり、これは、確定ユニット２０１がＳＬ−ＤＲＸ配置を調整する指示を生成し、送信ユニット２０３がそれをネットワーク制御端末に送信することによって実現することができる。
【００９５】
例えば、送信ユニット２０３は、ＤＲＸ−ｏｎＤｕａｒｔｉｏｎＴｉｍｅｒが終了した後のサブフレームで、調整指示ＳＬＤＲＸ−Ａｄｊｕｓｔ  Ｉｎｄｉｃａｔｏｒを、ＭＡＣ層を介してネットワーク制御端末に送信することができる。
【００９６】
相応的に、ネットワーク制御端末に用いられる電子装置１００の確定ユニット１０１は当該調整指示に応じてネットワークノードのＳＬ−ＤＲＸ配置を調整することができる。例えば、ネットワーク制御端末はネットワークノードに対してＳＬＤＲＸ−ｓｔａｒｔｏｆｆｓｅｔを更新し、即ち、次回のＤＲＸとＳＬ−ＤＲＸの時間窓が重ならないことを確保するように、ＳＬ−ＤＲＸ  ｃｙｃｌｅの開始時間を後ろにある時間だけシフトする。同様に、後ろにシフトされた時間の長さは確定ユニット２０１によって確定されて、ネットワーク制御端末に提供されてもよいし、予め設定された値であってもよい。図１２の下部は、当該ケースの情報の流れの例を示し、同様に、斜線で囲まれたボックスは調整されたＳＬ−ＤＲＸのＡｃｔｉｖｅＴｉｍｅを表し、当該ＳＬ−ＤＲＸのＡｃｔｉｖｅＴｉｍｅがＤＲＸのスリープ時間内に収まることで、競合の発生を避けることができることが分かる。
【００９７】
また、ネットワークノードのＳＬ−ＤＲＸは他のネットワークノードによって配置される場合、送信ユニット２０３は調整指示を他のネットワークノードに送信することで、当該ネットワークノードのＳＬ−ＤＲＸ配置の調整は他のネットワークノードによって行割れる。同様に、調整量は、確定ユニット２０１によって確定され、他のネットワークノードに提供されてもよいし、予め設定された値であってもよい。
【００９８】
（方案五）
当該方案では、リモートネットワークノードではユニバーサルリンクダウンリンク伝送と中継ネットワークノードからリモートネットワークノードへの中継伝送との間の競合が発生するシナリオを考慮し、リモートネットワークノードが中継ネットワークノードの助けを利用して競合を解決する。そのため、当該方案は実際的に、中継ネットワークノードが２つの伝送を調整する範囲に属する。
【００９９】
例えば、中継ネットワークノードに用いられる電子装置２００の確定ユニット２０１は、中継ネットワークノードがリモートネットワークノードへのデータ伝送を完了した後、リモートネットワークノードの中継リンクがスリープ状態に入ることをネットワーク制御端末に指示するための指示を生成するように配置されることができる。このようにして、ネットワーク制御端末はこの後の時間内にデータをリモートネットワークノードに送信することができる。さらに、ネットワーク制御端末又は中継ネットワークノードは、例えば、ＳＬＤＲＸ−ＳｔａｒｔＯｆｆｓｅｔであるリモートネットワークノードのＳＬ−ＤＲＸ配置を更新してもよい。
【０１００】
相応的に、ネットワーク制御端末的電子装置１００に用いられる確定ユニット１０１は、中継ネットワークノードからのＳＬ−ＤＲＸリモートスリープインジケータ（例えばＳＬＤＲＸ−ｒｅｍｏｔｅＳｌｅｅｐＩｎｄｉｃａｔｏｒによって表される）によって、ネットワーク制御端末からリモートネットワークノードへのユニバーサルリンクダウンリンク伝送をスケジューリングするように配置されることができ、その中、ＳＬ−ＤＲＸリモートスリープインジケータはリモートネットワークノードの中継リンクがスリープ状態に入ることを表す。
【０１０１】
また、ネットワーク制御端末とリモートネットワークノードとの間にＤＲＸを使用する場合に、確定ユニット１０１は、リモートネットワークノードのＤＲＸがスリープ時間に入ることを中継ネットワークノードに指示する、ネットワーク制御端末がリモートネットワークノードへのデータ伝送を完了した後、ＵｕＤＲＸリモートスリープインジケータ（例えば、ＵｕＤＲＸ−ｒｅｍｏｔｅＳｌｅｅｐＩｎｄｉｃａｔｏｒによって表される）を生成するように配置されてもよい。このようにして、中継ネットワークノードは、この後の時間内にデータをリモートネットワークノードに送信することができる。
【０１０２】
相応的に、確定ユニット２０１は、ネットワーク制御端末からのＵｕＤＲＸリモートスリープインジケータに従ってリモートネットワークノードのＳＬ−ＤＲＸ配置を更新するように配置されてもよく、その中、ＵｕＤＲＸリモートスリープインジケータは、リモートネットワークノードのＤＲＸがスリープ時間に入ることを指示する。一方、リモートネットワークノードのＳＬ−ＤＲＸはネットワーク制御端末によって制御されれば、確定ユニット１０１によって、リモートネットワークノードのＳＬ−ＤＲＸ配置を更新する。
【０１０３】
図１３は、当該方案の情報の流れの概略図を示す。その中、リモートネットワークノードにはＤＲＸとＳＬ−ＤＲＸが配置され、中継ネットワークノードがデータを送信した後、ＳＬＤＲＸ−ｒｅｍｏｔｅＳｌｅｅｐＩｎｄｉｃａｔｏｒをネットワーク制御端末に送信し、その後、ネットワーク制御端末はリモートネットワークノードのＳＬ−ＤＲＸ配置を更新すると共にデータをリモートネットワークノードに送信する。ＤＲＸの新しいＡｃｔｉｖｅＴｉｍｅがＳＬ−ＤＲＸのスリープ時間内に収まることで、競合を避けることができる。また、ネットワーク制御端末がデータをリモートネットワークノードに送信した後、ＵｕＤＲＸ−ｒｅｍｏｔｅＳｌｅｅｐＩｎｄｉｃａｔｏｒを中継ネットワークノードに送信し、中継ネットワークノードは当該インジケータによってリモートネットワークノードのＳＬ−ＤＲＸ配置を更新すると共に、その後のＳＬ−ＤＲＸ  ＡｃｔｉｖｅＴｉｍｅ内にデータをリモートネットワークノードに送信し、同様に、更新されたＳＬ−ＤＲＸ  ＡｃｔｉｖｅＴｉｍｅがＤＲＸのスリープ時間内に収まることで、競合を避けることができる。
【０１０４】
以上、ユニバーサルリンクダウンリンク伝送と中継リンク伝送に用いられる様々な調整方案について説明したが、これらは単なる例であり、調整方法はこれに限定されないことを理解されたい。これらの２つの伝送を調整することによって、ネットワークノードでのデータ競合を効果的に避けて、ネットワークエネルギー効率とＱｏＳを向上させることができる。
【０１０５】
＜第４の実施例＞
当該実施例では、１つの中継ネットワークノードが複数のリモートネットワークノードに接続するシナリオを考える。中継リンクのダウンリンクについて、中継ネットワークノードは、スケジューリング方法によって複数のリモートネットワークノードへのデータの送信を容易に行うことができる。中継リンクのアップリンクについて、中継ネットワークノードは複数のリモートネットワークノードからのデータを同時に受信することができない。そのため、発生する可能性のあるデータ競合の問題の解決を考慮する必要がある。
【０１０６】
ネットワーク制御端末又は中継ネットワークノードがリモートネットワークノードが使用するリソースを集中的にスケジューリングする時に、上記の問題を容易に解決することができることは理解される。そのため、本実施例では、主として、リモートネットワークノードが自主的にリソースを選択するケースについて説明する。
【０１０７】
一例では、ネットワークノードに用いられる電子装置２００の確定ユニット２０１は各リモートネットワークノードに受信順序をそれぞれ割り当て、当該受信順序に従って確定したサブフレーム位置で、対応するリモートネットワークノードのＰＳＣＣＨを検出するように配置される。
【０１０８】
前述のように、中継ネットワークノードは、ＳＬＤＲＸ−ｏｎＤｕｒａｔｉｏｎＴｉｍｅｒ内でＰＳＣＣＨの検出を行う。ＳＬＤＲＸ−ｏｎＤｕｒａｔｉｏｎＴｉｍｅｒを、各リモートネットワークノードにそれぞれ割り当ててＰＳＣＣＨの検出に用いられるＸ個の部分に分割することができる。図１４は、ＳＬＤＲＸ−ｏｎＤｕｒａｔｉｏｎＴｉｍｅｒを２つの部分に分割してリモートネットワークノード１とリモートネットワークノード２にそれぞれ割り当てる例を示し、即ち、ＳＬ−ＤＲＸがウェイクアップする最初のサブフレームでリモートネットワークノード１のＰＳＣＣＨ検出を行い、２番目のサブフレームでリモートネットワークノード２のＰＳＣＣＨ検出を行う。
【０１０９】
その中、中継ネットワークノードは、各リモートネットワークノードの優先度と遅延許容度に従ってそれらをソートし、各リモートネットワークノードに１つのＲｅｍｏｔｅＵＥＯｒｄｅｒを与えることができる。各リモートネットワークノードは自身のＲｅｍｏｔｅＵＥＯｒｄｅｒに従って、自身に属するＳＬ−ＤＲＸ  ｏｎＤｕｒａｔｉｏｎＴｉｍｅｒとＳＬ−ＤＲＸ  ｓｔａｒｔｏｆｆｓｅｔを算出することができる。また、確定ユニット２０１はさらに、各リモートネットワークノードに対して連続受信用のＰＳＣＣＨサブフレームを確保するように配置される。このように、ウェアラブル装置などのいくつかのリモートネットワークノードの送信データが比較的安定している場合に、ウェイクアップ状態とスリープ状態の両方において中継ネットワークノードが頻繁に切り替えることを効果的に避けることができる。
【０１１０】
各リモートネットワークノードに割り当てられた連続受信ＰＳＣＣＨサブフレームの長さは、対応するリモートネットワークノードの業務特性によって異なる値に設定されてもよく、勿論、同じ値に設置されてもよい。いくつかのウェアラブル装置のような送信データ量がサイクル、安定して予測可能なリモートネットワークノードに対して、固定の連続受信ＰＳＣＣＨサブフレーム長を割り当てることができる。図１４に示すように、中継ネットワークノードはＳＬＤＲＸ−ｏｎＤｕｒａｔｉｏｎＴｉｍｅｒ内でリモートネットワークノード１とリモートネットワークノード２からのＰＳＣＣＨを順次受信する。リモートネットワークノード１とリモートネットワークノード２はそのＲｅｍｏｔｅＵＥＯｒｄｅｒ和連続受信ＰＳＣＣＨサブフレーム長によってそれら自身の伝送時間窓を知ることができる。リモートネットワークノード１の優先度がより高いと仮定すると、中継ネットワークノードは、まず、６つの連続受信ＰＳＣＣＨサブフレームにおいてリモートネットワークノード１からのＰＳＣＣＨを検出する（ただし、必ずしもＰＳＣＣＨサブフレームが受信されなく、例えば、図１４では、リモートネットワークノード１は、３つのサブフレームしか送信しないするので、中継ネットワークノードは、３つのサブフレームしか受信しない。）。中継ネットワークノードのリモートネットワークノード１に対する受信が終了し、且つリモートネットワークノード２に対する連続受信ＰＳＣＣＨサブフレームが起動する時に、中継ネットワークノードは、リモートネットワークノード２からのＰＳＣＣＨの検出を開始する。
【０１１１】
さらに、リモートネットワークノードの一部に固定の連続受信ＰＳＣＣＨサブフレーム長を割り当て、他のリモートネットワークノードに動的に変化する連続受信ＰＳＣＣＨサブフレーム長を割り当てることができる。又は、全てのリモートネットワークノードに動的に変化する連続受信ＰＳＣＣＨサブフレーム長を割り当てることもできる。
【０１１２】
例えば、連続受信ＰＳＣＣＨサブフレーム長が固定されるリモートネットワークノードのＲｅｍｏｔｅＵＥＯｒｄｅｒを前面に設置することができ、図１４を例として、リモートネットワークノード１の連続受信ＰＳＣＣＨサブフレーム長が６であり、リモートネットワークノード２の連続受信ＰＳＣＣＨサブフレーム長は動的に変化するものとする。リモートネットワークノード３がさらに存在する場合、確定ユニット２０１は、リモートネットワークノード２の実際の連続受信ＰＳＣＣＨサブフレーム長に従ってリモートネットワークノード３の受信サブフレーム開始位置を確定する必要がある。より多くのリモートネットワークノードが存在する場合、前のリモートネットワークノードの実際の連続受信ＰＳＣＣＨサブフレーム長に従ってその受信サブフレーム開始位置を順次取得する。
【０１１３】
そのため、確定ユニット２０１は、前のリモートネットワークノードの連続受信ＰＳＣＣＨサブフレームの数が動的に変化する場合に、次のリモートネットワークノードに対する受信サブフレームの開始位置の情報を生成して、当該次のリモートネットワークノードに指示するように配置される。送信ユニット２０３は当該受信サブフレームの開始位置の情報を、対応するリモートネットワークノードに送信する。
【０１１４】
また、確定ユニット２０１はさらに、中継ネットワークノードのＳＬ−ＤＲＸの配置を周期的に更新するように配置される。例えば、送信ユニット２０３は更新されたＳＬ−ＤＲＸ配置を当該中継ネットワークノードのリモートネットワークノードに送信することができる。
【０１１５】
例示的には、送信ユニット２０３は、ブロードキャストによって送信することができる。例えば、送信ユニット２０３は、ＴｉｍｅｒＡｄｊｕＳｔｍｅｎｔ  Ｉｎｄｉｃａｔｏｒを各リモートネットワークノードにブロードキャストすることによって次のＳＬＤＲＸ−ｏｎＤｕｒａｔｉｏｎＴｉｍｅｒのＳＬＤＲＸ−ｓｔａｒｔｏｆｆｓｅｔを通知する。このようにして、各リモートネットワークノードは、それぞれのＲｅｍｏｔｅＵＥＯｒｄｅｒを使用して次のＳＬＤＲＸ−Ｃｙｃｌｅで中継ネットワークノードが自身のために配置したＳＬＤＲＸ−ｏｎＤｕｒａｔｉｏｎＴｉｍｅｒサブフレーム位置を算出することができる。図１５は、当該示例の情報の流れを示す概略図であり、空白のボックス、スラッシュフィルボックス、縦線で囲まれたボックス、ドットで塗りつぶされたボックスによって、ＳＬＤＲＸ−ｏｎＤｕｒａｔｉｏｎＴｉｍｅ、リモートネットワークノード１−３の連続受信ＰＳＣＣＨサブフレームをそれぞれ表す。リモートネットワークノード２の連続受信ＰＳＣＣＨサブフレームの数が動的に変化するため、リモートネットワークノード３にその受信サブフレームの開始位置の情報ＳＬＤＲＸ−ＲｅｃｅｐｔｉｏｎＩｎｄｉｃａｔｏｒを送信する必要がある。各リモートネットワークノードは、自身に割り当てられた連続受信ＰＳＣＣＨサブフレーム内でデータを送信し、ＳＬＤＲＸ−Ｃｙｃｌｅの送信が終了した後、中継ネットワークノードは更新されたＳＬ−ＤＲＸ配置を各リモートネットワークノードにブロードキャストする。
【０１１６】
ＳＬ−ＤＲＸの正確性とランタイム性を保証するために、中継ネットワークノードは、複数のリモートネットワークノードと共にＳＬ−ＤＲＸのタイマーを周期的に更新する必要がある。更新周期は例えば、ネットワーク制御端末によって配置されるか中継ネットワークノード自身によって確定されることができる。当該周期を合理的に設置することによって、サービスの連続性とエネルギー効率のバランスを達成することができる。
【０１１７】
別の例では、確定ユニット２０１は、中継ネットワークノードが複数のリモートネットワークノードからのＰＳＣＣＨを同時に検出した場合に、複数のリモートネットワークノードのうち１つをランダムに選択するか又は最も優先度の高い１つのリモートネットワークノードを選択してそのデータを受信するように配置されてもよい。当該例では、中継ネットワークノードは何らかの調整作用を果たすことがない。中継ネットワークノードのＳＬＤＲＸ−ｏｎＤｕｒａｔｉｏｎＴｉｍｅｒでは、まずあるリモートネットワークノードからのＰＳＣＣＨを検出した時に、ＳＬＤＲＸ−ＩｎａｃｔｉｖｉｔｙＴｉｍｅｒを起動しながら当該リモートネットワークノードに対する持続受信を保証する。中継ネットワークノードが複数のリモートネットワークノードからのＰＳＣＣＨを同時に受信する場合、中継ネットワークノードは、ランダムに選択するか又は最も高い優先度を有するものを選択して受信し応答する。それらの中継ネットワークノードからの応答を受信しなかったリモートネットワークノードは、次の中継ネットワークノードのウェイクアップ時間までしか待機できない。同様に、ＳＬＤＲＸ−Ｃｙｃｌｅが終了した後、中継ネットワークノードは更新されたＳＬ−ＤＲＸ配置、即ち、ＳＬ−ＤＲＸのタイマーを各リモートネットワークノードにブロードキャストする必要がある。
【０１１８】
当該実施例では、中継ネットワークノードは、調整又はランダム受信によって、複数の中継リンクにおけるデータを受信する時に発生する競合を避けることができる。
【０１１９】
＜第５の実施例＞
上記実施態様では電子装置について説明した過程では、いくつかの処理又は方法が明らかに開示されている。以下、これらの方法の概要については既に説明した事項の一部を繰り返すことなく説明するが、注意すべきことは、これらの方法は電子装置の説明に開示されるが、必ずしもこれらの構成要素を使用するか、又はこれらの構成要素によって実行するものではない。例えば、電子装置の実施態様は、ハードウェア及び／又はファームウェアによって部分的又は完全に実現されてもよく、以下に説明する方法は、電子装置のハードウェア及び／又はファームウェアを使用することができるが、コンピュータ実行可能プログラムによって完全的に実現することもできる。
【０１２０】
図１６は、本出願の一実施例によるネットワーク制御端末に用いられる電子装置の方法のフローチャートを示し、当該方法は、中継ネットワークノードとリモートネットワークノードとの間の中継リンクに対して、中継ネットワークノード及び／又はリモートネットワークノードのための間欠受信ＳＬ−ＤＲＸを配置することと（Ｓ１１）、中継ネットワークノード及び／又はリモートネットワークノードに指示するために、ＳＬ−ＤＲＸの配置が含まれた制御シグナリングを生成することと（Ｓ１２）を含む。
【０１２１】
例えば、前記中継ネットワークノード及び／又は前記リモートネットワークノードがＰＳＣＣＨを検出するアクティブ時間及びＰＳＣＣＨを検出しないスリープ時間を確定することによって、中継ネットワークノード及び／又はリモートネットワークノードに対して間欠受信ＳＬ−ＤＲＸを配置することができる。
【０１２２】
例えば、ＳＬ−ＤＲＸの配置は、ネットワークノードがスリープ状態からウェイクアップした後にＰＳＣＣＨを検出する連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと、１つのＳＬ−ＤＲＸサイクルに含まれたサブフレームの数を指示するためのＳＬＤＲＸ−Ｃｙｃｌｅと、各ＳＬ−ＤＲＸサイクルの開始のサブフレーム位置を指示するためのＳＬＤＲＸ−ＳｔａｒｔＯｆｆｓｅｔとを含む。
【０１２３】
また、図１６の点線のボックスに示すように、前記方法は、制御シグナリングを中継ネットワークノード及び／又はリモートネットワークノードに送信するステップＳ１３をさらに含んでもよい。例えば、ＲＲＣシグナリングによって前記送信を行うことができる。
【０１２４】
例えば、ステップＳ１３では、中継ネットワークノードとリモートネットワークノードのＳＬ−ＤＲＸ配置が含まれた制御シグナリングを中継ネットワークノードに送信することができ、その中、リモートネットワークノードのＳＬ−ＤＲＸ配置は中継ネットワークノードによって転送される。  
【０１２５】
また、図１６に示されていないが、前記方法はさらに、競合を避けるために、互いに直交するリソースを以下の２つの伝送に割り当てるステップを含むことができる。即ち、前記ネットワーク制御端末から前記中継ネットワークノードへのユニバーサルリンクダウンリンク伝送と、前記リモートネットワークノードから前記中継ネットワークノードへの中継リンク伝送と、ネットワークノードに対するユニバーサルリンクダウンリンク伝送と、ネットワークノードに対する中継リンク伝送である。或いは、競合を避けるために、互いに直交するリソースを、前記ネットワーク制御端末から前記リモートネットワークノードへのユニバーサルリンクダウンリンク伝送と、前記中継ネットワークノードから前記リモートネットワークノードへの中継リンク伝送との２つの伝送に割り当てる。例えば、ユニバーサルリンクと中継リンクの優先度に従ってその伝送順序を設置し、当該伝送順序に従って中継ネットワークノードやリモートネットワークノードのＳＬ−ＤＲＸ配置を更新してもよい。
【０１２６】
一例では、中継ネットワークノードからのＳＬ−ＤＲＸスリープインジケータによって、ネットワーク制御端末から中継ネットワークノードへのユニバーサルリンクダウンリンク伝送をスケジューリングすることができ、その中、ＳＬ−ＤＲＸスリープインジケータは、中継ネットワークノードの中継リンクがスリープ状態に入ることを表す。
【０１２７】
別の例では、中継ネットワークノードからのＳＬ−ＤＲＸリモートスリープインジケータによって、ネットワーク制御端末からリモートネットワークノードへのユニバーサルリンクダウンリンク伝送をスケジューリングすることができ、その中、ＳＬ−ＤＲＸリモートスリープインジケータは、リモートネットワークノードの中継リンクがスリープ状態に入ることを表す。
【０１２８】
ネットワーク制御端末とネットワークノードとの間にＤＲＸを使用する場合に、互いに直交する受信リソースをＤＲＸとＳＬ−ＤＲＸに割り当ててもよい。例えば、時間領域で互いに独立した受信時間窓をＤＲＸとＳＬ−ＤＲＸに割り当ててもよい。
【０１２９】
ネットワーク制御端末とネットワークノードとの間にＤＲＸを使用する場合に、ネットワークノードからの調整指示に従ってネットワークノードのＤＲＸやＳＬ−ＤＲＸの配置を調整することができる。
【０１３０】
ネットワーク制御端末とリモートネットワークノードとの間にＤＲＸを使用する場合に、ネットワーク制御端末がリモートネットワークノードへのデータ伝送を完了した後、リモートネットワークノードのＤＲＸがスリープ時間に入ることを中継ネットワークノードに指示するためのＵｕＤＲＸリモートスリープインジケータを生成することができる。なお、リモートネットワークノードのＳＬ−ＤＲＸの配置を更新することができる。
【０１３１】
図１７は、本出願の一実施例によるネットワークノードに用いられる電子装置の方法のフローチャートを示し、当該方法は、当該ネットワークノードと１つ又は複数の他のネットワークノードとの間の中継リンクに対して、ネットワークノード及び／又は１つ又は複数の他のネットワークノード用の間欠受信ＳＬ−ＤＲＸを配置することと（Ｓ２１）、ＳＬ−ＤＲＸの配置に基づいて、ネットワークノードと１つ又は複数の他のネットワークノードとの間の中継伝送を行うことと（Ｓ２２）を含む。
【０１３２】
例えば、前記ネットワークノード及び／又は１つ又は複数の他のネットワークノードがＰＳＣＣＨを検出するアクティブ時間及びＰＳＣＣＨを検出しないスリープ時間を確定することによって、ネットワークノード及び／又は１つ又は複数の他のネットワークノードに対して間欠受信ＳＬ−ＤＲＸを配置することができる。例えば、ＳＬ−ＤＲＸの配置は、ネットワークノードがスリープ状態からウェイクアップした後にＰＳＣＣＨを検出する連続するＰＳＣＣＨサブフレームの数を指示するためのＳＬＤＲＸ−ｏｎＤｕｒａｔｉｏｎＴｉｍｅｒと、ネットワークノードがＰＳＣＣＨの復号に成功するのを待つＰＳＣＣＨサブフレームの最大数を指示するためのＳＬＤＲＸ−ＩｎａｃｔｉｖｉｔｙＴｉｍｅｒと、１つのＳＬ−ＤＲＸサイクルに含まれたサブフレームの数を指示するためのＳＬＤＲＸ−Ｃｙｃｌｅと、各ＳＬ−ＤＲＸサイクルの開始のサブフレーム位置を指示するためのＳＬＤＲＸ−ＳｔａｒｔＯｆｆｓｅｔとを含む。
【０１３３】
また、図１７の点線のボックスに示すように、上記方法は他のネットワークノードのＳＬ−ＤＲＸの配置が含まれた制御シグナリングを対応するネットワークノードに送信するステップＳ１３をさらに含む。例えば、無線リソース制御ＲＲＣシグナリングやブロードキャストシグナリングによって前記送信を行うことができる。
【０１３４】
また、ＳＬ−ＤＲＸスリープ状態に入ることを他のネットワークノードに指示する制御情報を他のネットワークノードに送信するか又は他のネットワークノードから当該制御情報を受信する。当該制御情報は例えばＬＣＩＤを携帯するＭＡＣ  ＰＤＵサブヘッダによって表される。
【０１３５】
一例では、ステップＳ２１においてネットワーク制御端末からの制御シグナリングによってＳＬ−ＤＲＸの配置を確定する。
【０１３６】
別の例では、ステップＳ２１においてネットワークノードが送信するデータによって１つ又は複数の他のネットワークノードのＳＬ−ＤＲＸの配置を確定する。
【０１３７】
ネットワーク制御端末とネットワークノードとの間に間欠受信ＤＲＸを使用する場合に、ＤＲＸとＳＬ−ＤＲＸとの受信時間窓が重さなる場合に、ＤＲＸやＳＬ−ＤＲＸの配置を調整する調整指示を生成して、ＤＲＸやＳＬ−ＤＲＸの配置の調整をネットワーク制御端末や他のネットワークノードに指示してもよい。調整量を計算して、当該調整量に応じてＤＲＸやＳＬ−ＤＲＸの配置を調整することをネットワーク制御端末や他のネットワークノードに指示してもよい。
【０１３８】
ネットワークノードは時間優先原則に従ってネットワーク制御端末からのデータと他のネットワークノードからのデータのいずれかを受信してもよく、例えば、受信の開始時にタイマーを起動し、且つ、当該タイマーの持続時間が所定の時間を超えた時に受信を停止して、公平性を保証することができる。
【０１３９】
ネットワークノードが中継ネットワークノードであり、他のネットワークノードがリモートネットワークノードである場合に、ネットワーク制御端末から中継ネットワークノードへのユニバーサルリンクダウンリンク伝送に使用されるリソースと直交するリソースをリモートネットワークノードから中継ネットワークノードへの中継リンク伝送に割り当てて、競合を避けることができる。ネットワーク制御端末と中継ネットワークノードとの間にＤＲＸを使用する場合に、ＤＲＸと互いに直交する受信リソースをＳＬ−ＤＲＸに割り当て、例えば、時間領域でＤＲＸと互いに独立した受信時間窓をＳＬ−ＤＲＸに割り当てる。中継ネットワークノードの中継リンクがスリープ状態に入ることをネットワーク制御端末に指示する指示を生成することで、ネットワーク制御端末はデータを中継ネットワークノードに送信することができると確定するようにする。ネットワーク制御端末とリモートネットワークノードとの間にＤＲＸを使用する場合に、ネットワーク制御端末からのＵｕＤＲＸリモートスリープインジケータによってリモートネットワークノードのＳＬ−ＤＲＸ配置を更新することができ、その中、ＵｕＤＲＸリモートスリープインジケータはリモートネットワークノードのＤＲＸがスリープ時間に入ることを指示する。中継ネットワークノードがリモートネットワークノードへのデータ伝送を完了した後、リモートネットワークノードの中継リンクがスリープ状態に入ることをネットワーク制御端末に指示する指示を生成する。
【０１４０】
１対多の中継のケースでは、各リモートネットワークノードに受信順序をそれぞれ割り当て、当該受信順序によって確定したサブフレーム位置では対応するリモートネットワークノードのＰＳＣＣＨを検出することができる。また、各リモートネットワークノードに対して連続受信用のＰＳＣＣＨサブフレームを確保してもよい。
【０１４１】
前のリモートネットワークノードの連続受信ＰＳＣＣＨサブフレームの数が動的に変化する場合に、次のリモートネットワークノードに対する受信サブフレームの開始位置の情報を生成して、次のリモートネットワークノードに指示してもよい。
【０１４２】
また、正確性及びランタイム性を保証するために、中継ネットワークノードのＳＬ−ＤＲＸの配置も周期的に更新することができる。
【０１４３】
別の例では、中継ネットワークノードが複数のリモートネットワークノードからのＰＳＣＣＨを同時に検出した場合に、複数のリモートネットワークノードのうちの１つをランダムに選択するか、又は最も優先度の高い１つのリモートネットワークノードを選択して、そのデータを受信する。
【０１４４】
なお、上記の各方法は、組み合わせて用いてもよいし、単独で用いてもよく、その詳細については第１から第４の実施例で詳細に説明したので、ここでは繰り返さない。
【０１４５】
要約すると、本出願による電子装置及び方法は、中継リンクにおいて間欠受信を適用し、且つ、様々な調整方法を使用することによって、中継通信を行う装置のエネルギー消費を効果的に低減し、データ伝送効率を向上させることができる。
【０１４６】
＜適用例＞
本開示の技術は各種の製品に適用することができる。以上で言及された基地局は、例えばマクロｅＮＢや小ｅＮＢなどの任意のタイプの進化ノードＢ（ｅＮＢ）として実現されることができる。小ｅＮＢは、例えばピコｅＮＢ、マイクロｅＮＢ、及び家庭（フェムト）ｅＮＢなどのマクロセルより小さいセルをカバーできるｅＮＢであってもよい。その代わりに、基地局は、例えばＮｏｄｅＢと基地局トランシーバ（ＢＴＳ）のような任意の他のタイプの基地局として実現されることができる。基地局は、無線通信を制御するように配置される主体（基地局装置とも呼ばれる）と、主体と異なるところに設けられる１つ又は複数のリモート無線ヘッド（ＲＲＨ）とを含むことができる。また、後述する様々なタイプのユーザー装置はいずれも、基地局機能を一時的又は半永久的に実行することによって、基地局として機能することができる。
【０１４７】
［基地局についての適用例］
（第１の適用例）
図１８は本開示の技術を適用できるｅＮＢの概略構成の第１の例を示すブロック図である。ｅＮＢ８００は１つ又は複数のアンテナ８１０及び基地局装置８２０を含む。基地局装置８２０と各アンテナ８１０はＲＦケーブルを介して接続されてもよい。
【０１４８】
アンテナ８１０のそれぞれは単一又は複数のアンテナ素子（例えば多入力多出力（ＭＩＭＯ）アンテナに含まれる複数アンテナ素子）を含み、基地局装置８２０の無線信号の送受信に使用される。１７に示すように、ｅＮＢ８００は複数のアンテナ８１０を含んでもよい。  例えば、複数アンテナ８１０はｅＮＢ８００に使用される複数の周波数領域と互換性があり得る。図１８に、ｅＮＢ８００が複数アンテナ８１０を含む例を示したが、ｅＮＢ８００が単一のアンテナ８１０を含んでもよい。
【０１４９】
基地局装置８２０は、コントローラ８２１、メモリ８２２、ネットワークインターフェース８２３及び無線通信インターフェース８２５を含む。
【０１５０】
コントローラ８２１は例えばＣＰＵ又はＤＳＰであり、且つ、基地局装置８２０の上位層の各種機能を動作させる。例えば、コントローラ８２１は無線通信インターフェース８２５によって処理された信号におけるデータに基づいてデータパケットを生成し、ネットワークインターフェース８２３を介して、生成されたパケットを伝送する。コントローラ８２１は複数のベースバンドプロセッサからのデータをバンドルして、バンドルパケットを生成し、生成されたバンドルパケットを伝送することができる。コントローラ８２１は以下のような制御を実行する論理機能を有してもよく、当該制御は例えば、無線リソース制御、無線ベアラ制御、移動管理、受付制御、スケジューリングなどである。当該制御は近くのｅＮＢ又はコアネットワークノードと結合して実行することができる。メモリ８２２はＲＡＭとＲＯＭを含み、コントローラ８２１が実行するプログラム及び各種制御データ（例えば、端末リスト、送信パワーデータ及びスケジューリングデータ）が記憶される。
【０１５１】
ネットワークインターフェース８２３は基地局装置８２０をコアネットワーク８２４の通信インターフェースに接続するためのものである。コントローラ８２１はネットワークインターフェース８２３を介してコアネットワークノード又は別のｅＮＢと通信することができる。この場合、ｅＮＢ８００とコアネットワークノード又は他のｅＮＢとは論理インターフェース（例えばＳ１インターフェースとＸ２インターフェース）によって互いに接続される。ネットワークインターフェース８２３は有線通信インターフェース又は無線バックホール回線用の無線通信インターフェースであってもよい。ネットワークインターフェース８２３が無線通信インターフェースであれば、無線通信インターフェース８２５によって使用される周波数領域と比べると、ネットワークインターフェース８２３はより高い周波数領域を無線通信に使用することができる。
【０１５２】
無線通信インターフェース８２５は任意のセルラー通信方式（例えば、Ｌｏｎｇ  Ｔｅｒｍ  Ｅｖｏｌｕｔｉｏｎ（ＬＴＥ）とＬＴＥ−Ａｄｖａｎｃｅｄ）をサポートし、アンテナ８１０を介してｅＮＢ８００に位置するセルのうち端末の無線接続を提供する。無線通信インターフェース８２５は通常、例えばベースバンド（ＢＢ）プロセッサ８２６とＲＦ回路８２７を含むことができる。ＢＢプロセッサ８２６は例えば、符号化／復号化、変調／復調、多重化／多重化解除を実行すると共に、レイヤー（例えばＬ１、メディアアクセス制御（ＭＡＣ）、無線リンク制御（ＲＬＣ）、パケットデータアグリゲーションプロトコル（ＰＤＣＰ））の様々なタイプの信号処理を実行することができる。コントローラ８２１の代わりに、ＢＢプロセッサ８２６は上記した論理機能の一部又は全部を有してもよい。ＢＢプロセッサ８２６は通信制御プログラムが記憶されるメモリであってもよく、或いは、プログラムを実行するように配置されるプロセッサと関連する回路を含むモジュールであってもよい。プログラムの更新はＢＢプロセッサ８２６の機能を変更させることができる。当該モジュールは基地局装置８２０のスロットに挿入されるカード又はブレッドであってもよい。その代わりに、当該モジュールはカード又はブレッドに搭載されるチップであってもよい。同時に、ＲＦ回路８２７は、例えばミキサ、フィルタ、増幅器を含んで、アンテナ８１０を介して無線信号を送受信してもよい。
【０１５３】
図１８に示すように、無線通信インターフェース８２５は複数のＢＢプロセッサ８２６を含んでもよい。例えば、複数のＢＢプロセッサ８２６はｅＮＢ８００に使用される複数の周波数領域と互換性があり得る。図１８に示すように、無線通信インターフェース８２５は複数のＲＦ回路８２７を含んでもよい。例えば、複数のＲＦ回路８２７は複数のアンテナ素子と互換性があり得る。図１８には、無線通信インターフェース８２５が複数のＢＢプロセッサ８２６と複数のＲＦ回路８２７を含む例を示したが、無線通信インターフェース８２５は単一のＢＢプロセッサ８２６又は単一のＲＦ回路８２７を含んでもよい。
【０１５４】
図１８に示すｅＮＢ８００において、図３により説明された送受信ユニット１０３は無線通信インターフェース８２５によって実現することができる。機能の少なくとも一部はコントローラ８２１によって実現することもできる。例えば、コントローラ８２１は確定ユニット１０１、生成ユニット１０２の機能を実行することによって、ＳＬ−ＤＲＸの配置及び対応する制御シグナリングの生成を実行することができる。
【０１５５】
（第２の適用例）
図１９は本開示の技術を適用できるｅＮＢの概略構成の第２の例を示すブロック図である。ｅＮＢ８３０は１つ又は複数のアンテナ８４０と、基地局装置８５０と、ＲＲＨ８６０とを含む。ＲＲＨ８６０と各アンテナ８４０はＲＦケーブルを介して互いに接続することができる。基地局装置８５０とＲＲＨ８６０は光ファイバケーブルのような高速回線を介して互いに接続することができる。
【０１５６】
アンテナ８４０のそれぞれは単一又は複数のアンテナ素子（例えば、ＭＩＭＯアンテナに含まれた複数のアンテナ素子）を含み、ＲＲＨ８６０の無線信号の送受信に使用される。図１９に示すように、ｅＮＢ８３０は複数のアンテナ８４０を含んでもよい。例えば、複数のアンテナ８４０はｅＮＢ８３０によって使用される複数の周波数領域と互換性があり得る。図１９に、ｅＮＢ８３０に複数のアンテナ８４０が含まれる例を示したが、ｅＮＢ８３０は単一のアンテナ８４０を含んでもよい。
【０１５７】
基地局装置８５０は、コントローラ８５１と、メモリ８５２と、ネットワークインターフェース８５３と、無線通信インターフェース８５５と、接続インターフェース８５７とを含む。コントローラ８５１、メモリ８５２、及びネットワークインターフェース８５３は図２４を参照して説明したコントローラ８２１、メモリ８２２、ネットワークインターフェース８２３と同様である。
【０１５８】
無線通信インターフェース８５５は任意のセルラー通信方式（例えばＬＴＥとＬＴＥ−Ａｄｖａｎｃｅｄ）をサポートし、ＲＲＨ８６０とアンテナ８４０を介してＲＲＨ８６０に対応するセクタに位置する端末の無線通信を提供する。無線通信インターフェース８５５は通常、例えばＢＢプロセッサ８５６を含んでもよい。ＢＢプロセッサ８５６が接続インターフェース８５７を介してＲＲＨ８６０のＲＦ回路８６４に接続する以外、ＢＢプロセッサ８５６は図１９を参照して説明したＢＢプロセッサ８２６と同様である。図１９に示すように、無線通信インターフェース８５５は複数のＢＢプロセッサ８５６を含んでもよい。例えば、複数のＢＢプロセッサ８５６はｅＮＢ８３０に使用される複数の周波数領域と互換性があり得る。図１９に、無線通信インターフェース８５５に複数のＢＢプロセッサ８５６が含まれる例を示したが、無線通信インターフェース８５５は単一のＢＢプロセッサ８５６を含んでもよい。
【０１５９】
接続インターフェース８５７は基地局装置８５０（無線通信インターフェース８５５）をＲＲＨ８６０に接続するためのインターフェースである。接続インターフェース８５７は基地局装置８５０（無線通信インターフェース８５５）をＲＲＨ８６０に接続する上記した高速回線における通信のための通信モジュールであってもよい。
【０１６０】
ＲＲＨ８６０は接続インターフェース８６１と無線通信インターフェース８６３を含む。
【０１６１】
接続インターフェース８６１はＲＲＨ８６０（無線通信インターフェース８６３）を基地局装置８５０に接続するためのインターフェースであってもよい。接続インターフェース８６１は上記した高速回線における通信のための通信モジュールであってもよい。
【０１６２】
無線通信インターフェース８６３はアンテナ８４０を介して無線信号を送受信する。無線通信インターフェース８６３は通常、例えばＲＦ回路８６４を含んでもよい。ＲＦ回路８６４は例えばミキサ、フィルタ、増幅器を含んで、アンテナ８４０を介して無線信号を送受信してもよい。図１９に示すように、無線通信インターフェース８６３は複数のＲＦ回路８６４を含んでもよい。例えば、複数のＲＦ回路８６４は複数のアンテナ素子をサポートすることができる。図１９に、無線通信インターフェース８６３に複数のＲＦ回路８６４が含まれる例を示したが、無線通信インターフェース８６３は単一のＲＦ回路８６４を含んでもよい。
【０１６３】
図１９に示すｅＮＢ８３０において、図３により説明された送受信ユニット１０３は無線通信インターフェース８５５及び／又は無線通信インターフェース８６３によって実現することができる。機能の少なくとも一部はコントローラ８５１によって実現することもできる。例えば、コントローラ８５１は確定ユニット１０１、生成ユニット１０２の機能を実行することによって、ＳＬ−ＤＲＸの配置及び対応する制御シグナリングの生成を実行することができる。
【０１６４】
［ユーザー装置についての適用例］
（第１の適用例）
図２０は本開示の技術を適用できるスマートフォン９００の概略構成の例を示すブロック図である。スマートフォン９００はプロセッサ９０１、メモリ９０２、記憶装置９０３、外部接続インターフェース９０４、撮像装置９０６、センサ９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、バッテリー９１８及び補助制御装置９１９を含む。
【０１６５】
プロセッサ９０１は例えばＣＰＵ又はシステムオンチップ（ＳｏＣ）であり、スマートフォン９００のアプリケーション層と他の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インターフェース９０４は外部装置（例えばメモリカードとユニバーサルシリアルバス（ＵＳＢ）装置）をスマートフォン９００に接続するためのインターフェースである。
【０１６６】
撮像装置９０６はイメージセンサ（例えば電荷結合デバイス（ＣＣＤ）と相補型金属酸化物半導体（ＣＭＯＳ））を含み、撮影した画像を生成する。センサ９０７は例えば測定センサ、ジャイロセンサ、地磁気センサ及び加速度センサのような１組のセンサを含んでもよい。マイク９０８はスマートフォン９００に入力された音をオーディオ信号に変換する。入力装置９０９は例えば表示装置９１０のスクリーンでのタッチを検出するように配置されるタッチセンサ、キーパッド、キーボード、ボタン又はスイッチを含み、ユーザーから入力された動作又は情報を受信する。表示装置９１０はスクリーン（例えば液晶ディスプレイ（ＬＣＤ）と有機発光ダイオード（ＯＬＥＤ）ディスプレイ）を含み、スマートフォン９００の出力画像を表示する。スピーカ９１１はスマートフォン９００から出力したオーディオ信号を音に変換する。
【０１６７】
無線通信インターフェース９１２は任意のセルラー通信方式（例えば、ＬＴＥとＬＴＥ−Ａｄｖａｎｃｅｄ）をサポートし、無線通信を実行する。無線通信インターフェース９１２は通常、例えばＢＢプロセッサ９１３とＲＦ回路９１４を含むことができる。ＢＢプロセッサ９１３は例えば、符号化／復号化、変調／復調、多重化／多重化解除を実行すると共に、無線通信のための様々なタイプの信号処理を実行することができる。同時に、ＲＦ回路９１４は例えばミキサ、フィルタ、増幅器を含んで、アンテナ９１６を介して無線信号を送受信することができる。無線通信インターフェース９１２はその上にＢＢプロセッサ９１３とＲＦ回路９１４が集積化される１つのチップモジュールであってもよい。図２０に示すように、無線通信インターフェース９１２は複数のＢＢプロセッサ９１３と複数のＲＦ回路９１４を含んでもよい。図２０に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１６８】
なお、セルラー通信方式の以外、無線通信インターフェース９１２は、例えば短距離無線通信方式、近接通信方式や無線ローカルネットワーク（ＬＡＮ）方式などの別のタイプの無線通信方式をサポートすることができる。この場合、無線通信インターフェース９１２は各種の無線通信方式に対するＢＢプロセッサ９１３とＲＦ回路９１４を含んでもよい。
【０１６９】
アンテナスイッチ９１５のそれぞれは無線通信インターフェース９１２に含まれる複数の回路（例えば異なる無線通信方式に使用される回路）間でアンテナ９１６の接続先を切り替える。
【０１７０】
アンテナ９１６のそれぞれは単一又は複数のアンテナ素子（例えばＭＩＭＯアンテナに含まれた複数のアンテナ素子）を含み、無線通信インターフェース９１２の無線信号の送受信に使用される。図２０に示すように、スマートフォン９００は複数のアンテナ９１６を含んでもよい。図２０に、スマートフォン９００に複数のアンテナ９１６が含まれる例を示したが、スマートフォン９００は単一のアンテナ９１６を含んでもよい。
【０１７１】
なお、スマートフォン９００は各種の無線通信方式に対するアンテナ９１６を含んでもよい。この場合に、アンテナスイッチ９１５はスマートフォン９００の配置から省略されてもよい。
【０１７２】
バス９１７はプロセッサ９０１、メモリ９０２、記憶装置９０３、外部接続インターフェース９０４、撮像装置９０６、センサ９０７、マイク９０８、入力装置９０９、表示装置９１０、スピーカ９１１、無線通信インターフェース９１２及び補助制御装置９１９を互いに接続する。バッテリー９１８は給電線によって図２０に示すスマートフォン９００の各ブロックに電力を提供し、給電線は図面において部分的に点線によって表される。補助制御装置９１９は例えばスリープモードでスマートフォン９００の最少の必要な機能を操作する。
【０１７３】
図２０に示すスマートフォン９００では、図６により説明された送受信ユニット２０３は無線通信インターフェース９１２によって実現することができる。機能の少なくとも一部は、プロセッサ９０１又は補助制御装置９１９によって実現することもできる。例えば、プロセッサ９０１又は補助制御装置９１９は、確定ユニット２０１、中継伝送ユニット２０２の機能を実行することによって、中継リンクの上で間欠受信を実現することができる。
【０１７４】
（第２の適用例）
図２１は本開示の技術を適用できるカーナビゲーション装置９２０の概略構成の例を示すブロック図である。カーナビゲーション装置９２０はプロセッサ９２１、メモリ９２２、全球位置決めシステム（ＧＰＳ）モジュール９２４、センサ９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及びバッテリー９３８を含む。
【０１７５】
プロセッサ９２１は例えばＣＰＵ又はＳｏＣであり、且つ、カーナビゲーション装置９２０のナビゲーション機能と他の機能を制御することができる。メモリ９２２はＲＡＭとＲＯＭを含み、データとプロセッサ９２１によって実行されるプログラムが記憶される。
【０１７６】
ＧＰＳモジュール９２４はＧＰＳ衛星から受信したＧＰＳ信号を使用してカーナビゲーション装置９２０の位置（例えば、緯度、経度、高度）を測定する。センサ９２５は例えばジャイロセンサ、地磁気センサ及び気圧センサのような１組のセンサを含んでもよい。データインターフェース９２６は図示しない端末を介して例えば車のネットワーク９４１に接続し、車両が生成したデータ（例えば、車速データ）を取得する。
【０１７７】
コンテンツプレーヤー９２７は記憶媒体（例えば、ＣＤとＤＶＤ）に記憶されたコンテンツを再生して、当該記憶媒体は記憶媒体インターフェース９２８に挿入される。入力装置９２９は例えば表示装置９３０のスクリーンでのタッチを検出するように配置されるタッチセンサ、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１７８】
無線通信インターフェース９３３は任意のセルラー通信方式（例えば、ＬＴＥとＬＴＥ−Ａｄｖａｎｃｅｄ）をサポートし、無線通信を実行することができる。無線通信インターフェース９３３は通常、例えばＢＢプロセッサ９３４とＲＦ回路９３５を含むことができる。ＢＢプロセッサ９３４は、例えば符号化／復号化、変調／復調、及び多重化／多重化解除を実行すると共に、無線通信に使用される様々なタイプの信号処理を実行することができる。同時に、ＲＦ回路９３５は例えばミキサ、フィルタ、増幅器を含んで、アンテナ９３７を介して無線信号を送受信することができる。無線通信インターフェース９３３はその上にＢＢプロセッサ９３４とＲＦ回路９３５が集積化される１つのチップモジュールであってもよい。図２１に示すように、無線通信インターフェース９３３は複数のＢＢプロセッサ９３４と複数のＲＦ回路９３５を含んでもよい。図２１に、無線通信インターフェース９３３に複数のＢＢプロセッサ９３４と複数のＲＦ回路９３５が含まれる例を示したが、無線通信インターフェース９３３は単一のＢＢプロセッサ９３４又は単一のＲＦ回路９３５を含んでもよい。
【０１７９】
なお、セルラー通信方式の以外、無線通信インターフェース９３３は、例えば短距離無線通信方式、近接通信方式、及び無線ＬＡＮ方式のような別のタイプの無線通信方式をサポートすることができる。この場合、各種の無線通信方式に対して、無線通信インターフェース９３３はＢＢプロセッサ９３４とＲＦ回路９３５を含んでもよい。
【０１８０】
アンテナスイッチ９３６のそれぞれは無線通信インターフェース９３３に含まれる複数の回路（例えば、異なる無線通信方式に使用される回路）間でアンテナ９３７の接続先を切り替える。
【０１８１】
アンテナ９３７のそれぞれは単一又は複数のアンテナ素子（例えばＭＩＭＯアンテナに含まれる複数のアンテナ素子）を含み、無線通信インターフェース９３３の無線信号の送受信に使用される。図２１に示すように、カーナビゲーション装置９２０は複数のアンテナ９３７を含んでもよい。図２０に、カーナビゲーション装置９２０に複数のアンテナ９３７が含まれる例を示したが、カーナビゲーション装置９２０は単一のアンテナ９３７を含んでもよい。
【０１８２】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１８３】
バッテリー９３８は給電線によって図２１に示すカーナビゲーション装置９２０の各ブロックに電力を提供し、給電線は図面において部分的に点線によって表される。バッテリー９３８は車両から提供した電力を蓄積する。
【０１８４】
図２１に示すカーナビゲーション装置９２０では、図６を参照して説明した送受信ユニット２０３は、無線通信インターフェース９３３によって実現することができる。機能の少なくとも一部は、プロセッサ９２１によって実現され得る。例えば、プロセッサ９２１は、確定ユニット２０１、中継伝送ユニット２０２の機能を実行することによって基準信号の測定を実現することができる。
【０１８５】
本開示の技術はカーナビゲーション装置９２０、車のネットワーク９４１及び車両モジュール９４２のうち１つ又は複数のブロックが含まれた車載システム（又は車両）９４０として実現されることができる。車両モジュール９４２は車両データ（例えば車速、エンジン速度、故障情報）を生成し、生成したデータを車のネットワーク９４１に出力する。
【０１８６】
以上、本発明の基本的な原理について、具体的な実施例を結合して説明した。しかしながら、当業者であれば、本発明の方法及び装置の全て又は任意のステップや部材は、任意のコンピューティングデバイス（プロセッサ、メモリ媒体などを含む）又はコンピューティングデバイスにおいて、ハードウェア、ファームウェア、ソフトウェア、又はそれらの組み合わせの形態で実現できることを理解することができる。これは、当業者が本発明の説明を読む場合に、その基本的な回路設計知識又は基本的なプログラミング技能を使用して実現され得るものである。
【０１８７】
そして、本発明は機械可読命令コードが記憶されたプログラム製品をさらに提供する。前記命令コードが機械によって読み取って実行される時に、上記した本発明実施例による方法を実行することができる。
【０１８８】
相応的に、上記した機械可読命令コードが記憶されたプログラム製品を担う記憶媒体も本発明の開示に含まれた。上記した記憶媒体は、フロッピーディスク、光ディスク、光磁気ディスク、メモリカード、メモリスティックなどを含むが、これらに限定されない。
【０１８９】
ソフトウェア又はファームウェアによって本発明を実現する場合に、記憶媒体又はネットワークから専用のハードウェア構成を有するコンピュータ（例えば、図２２に示す汎用コンピュータ２２００）へ当該ソフトウェアを構成するプログラムをインストールして、当該コンピュータは各プログラムがインストールされる場合に、各種の機能などを実行することができる。
【０１９０】
図２２において、中央処理装置（ＣＰＵ）２２０１は、読み取り専用メモリ（ＲＯＭ）２２０２に記憶されたプログラム又は記憶部分２２０８からランダムアクセスメモリ（ＲＡＭ）２２０３にロードされたプログラムに従って各種の処理を実行する。ＲＡＭ２２０３において、必要に応じても、ＣＰＵが各種の処理などを実行する時に必要なデータが記憶される。ＣＰＵ２２０１、ＲＯＭ２２０２、及びＲＡＭ２２０３はバス２２０４を介して互いに接続される。入力／出力インターフェース２２０５もバス２２０４に接続される。
【０１９１】
入力部分２２０６（キーボード、マウスなどを含む）、出力部分２２０７（例えば陰極線管（ＣＲＴ）、液晶ディスプレイ（ＬＣＤ）などのディスプレイとスピーカなどを含む）、記憶部分２２０８（ハードウェアなどを含む）、通信部分２２０９（例えばＬＡＮカードやモデムなどのネットワークインターフェースカードを含む）が入力／出力インターフェース２２０５に接続された。通信部分２２０９は例えばインターネットなどのネットワークを介して通信処理を実行する。必要に応じて、ドライバー２２１０は入力／出力インターフェース２２０５に接続されてもよい。例えば磁気ディスク、光ディスク、光磁気ディスク、半導体メモリなどのリムーバブルメディア２２１１は、必要に応じてドライバー２２１０に装着されて、その中から読み出したコンピュータプログラムが必要に応じて記憶部分２２０８にインストールされるようにする。
【０１９２】
ソフトウェアによって上記した一連の処理を実現する場合に、例えばインターネットであるネットワーク又は例えばリムーバブルメディア２２１１である記憶媒体から、ソフトウェアを構成するプログラムをインストールする。
【０１９３】
当業者が理解すべきことは、このような記憶媒体が図２２に示すような、その中にプログラムが記憶され、装置とは別途配布してユーザーにプログラムを提供するリムーバブルメディア２２１１に限定されない。リムーバブルメディア２２１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ２２０２、記憶部分２２０８に含まれたハードウェアなどであってもよく、その中にプログラムが記憶され、且つこれらが含まれた装置と一緒にユーザーに配布する。
【０１９４】
なお、本発明の装置、方法、及びシステムでは、各構成要素又は各ステップが分解及び／又は再結合することができるものであってもよい。これらの分解及び／又は再結合は本発明の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立して実行されてもよい。
【０１９５】
最後、説明する必要なことは、用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「．．．を一つ含む」という文によって限定される要素は、前記要素を含むプロセス、方法、物品又はデバイスに他の同じ要素がさらに含まれることを排除しない。
【０１９６】
以上、図面を結合して本開示の実施例について詳細に説明したが、上記した実施形態は本発明を説明するためのものであり、本発明を限定するものではないと理解すべきである。当業者にとって、本発明の精神及び範囲から逸脱することがなく、上記した実施形態に対して、様々な修正及び変更が可能である。そのため、本発明の範囲は添付した特許請求の範囲及びその等価物のみによって限定される。
【図１】
2019525607.tif 000004
【図２】
2019525607.tif 000005
【図３】
2019525607.tif 000006
【図４】
2019525607.tif 000007
【図５】
2019525607.tif 000008
【図６】
2019525607.tif 000009
【図７】
2019525607.tif 000010
【図８】
2019525607.tif 000011
【図９】
2019525607.tif 000012
【図１０】
2019525607.tif 000013
【図１１】
2019525607.tif 000014
【図１２】
2019525607.tif 000015
【図１３】
2019525607.tif 000016
【図１４】
2019525607.tif 000017
【図１５】
2019525607.tif 000018
【図１６】
2019525607.tif 000019
【図１７】
2019525607.tif 000020
【図１８】
2019525607.tif 000021
【図１９】
2019525607.tif 000022
【図２０】
2019525607.tif 000023
【図２１】
2019525607.tif 000024
【図２２】
2019525607.tif 000025
【国際調査報告】
2019525607.tif 000026
2019525607.tif 000027
2019525607.tif 000028
2019525607.tif 000029